(57)【要約】双方向特徴を第１のデバイスから第２のデバイスに転送するための方法およびシステムが、提示される。２人のユーザが、メディアアセットを消費し得る。双方向特徴をアクティブ化するためのコマンドの受信に応じて、双方向特徴をアクティブ化しなかったユーザがメディアアセットに関心があるかどうかの判定が行われる。その判定に応じて、タイマが、アクティブ化され、双方向特徴がアクティブである時間量を追跡し、閾値期間が満たされたかどうか判定が行われる。いったん閾値期間が満たされると、双方向特徴をアクティブ化したユーザと関連付けられたデバイスが、識別され、ユーザは、双方向特徴をデバイスに転送するようにプロンプトされる。
2019520009.tif 000002
【特許請求の範囲】
【請求項１】
方法であって、
同一ユーザ機器から第２のユーザとともにメディアアセットを消費している第１のユーザから、前記第１のデバイス上で双方向特徴をアクティブ化するためのコマンドを受信するステップであって、双方向特徴のアクティブ化は、前記同一ユーザ機器からのメディアアセットの消費を中断させる、ステップと、
前記双方向特徴をアクティブ化するためのコマンドの受信に応答して、前記第２のユーザが前記メディアアセットに関心がある場合、タイマを始動させるステップと、
前記タイマが閾値時間量を超えることの判定に応答して、前記第１のユーザに、前記双方向特徴を前記第１のデバイスから前記第２のデバイスに転送する選択可能オプションをプロンプトするステップと
を含む、方法。
【請求項２】
双方向特徴を第１のデバイスから第２のデバイスに転送するための方法であって、前記方法は、
第１のユーザおよび第２のユーザが第１のデバイス上でメディアアセットを消費していることを検出するステップと、
前記第２のユーザから、前記第１のデバイス上で双方向特徴をアクティブ化するためのコマンドを受信し、それによって、前記第１のユーザによる前記メディアアセットの消費を中断させるステップと、
前記双方向特徴をアクティブ化するためのコマンドの受信に応答して、
前記第１のユーザと関連付けられた第１のプロファイルのデータと前記メディアアセットのメタデータを比較し、前記メディアアセットが前記第１のユーザにとって関心があるかどうかを判定するステップと、
前記比較に基づいて、前記メディアアセットと関連付けられたメタデータが前記第１のプロファイルのデータに合致することを判定するステップと、
前記メディアアセットと関連付けられたメタデータが前記第１のプロファイルのデータに合致することの判定に応答して、
前記双方向特徴が前記第１のデバイス上でアクティブである期間を追跡するタイマをアクティブ化するステップと、
前記双方向特徴がアクティブである期間が閾値を上回ることを判定するステップと、
前記期間が前記閾値を上回ることの判定に応答して、
前記第２のユーザと関連付けられた第２のデバイスを識別するステップと、
前記第２のユーザに、前記双方向特徴を前記第１のデバイスから前記第２のデバイスに転送する選択可能オプションをプロンプトするステップと
を含む、方法
【請求項３】
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止めるステップをさらに含む、請求項２に記載の方法。
【請求項４】
前記第１のユーザと関連付けられた第１のプロファイル内のデータに基づいて、前記第１のユーザが前記双方向特徴に関心があることを判定するステップと、
前記判定に基づいて、前記閾値を増加させるステップと
をさらに含む、請求項２に記載の方法。
【請求項５】
前記第２のユーザと関連付けられた第２のデバイスを識別するステップは、
複数のアクセス可能デバイスを検出するステップと、
前記第２のユーザと関連付けられた第２のユーザプロファイルに基づいて、前記複数のアクセス可能デバイスのうちのデバイスが前記第２のユーザと関連付けられることを判定するステップと、
前記デバイスを前記第２のデバイスとして識別するステップと
を含む、請求項２に記載の方法。
【請求項６】
前記第２のユーザに、前記双方向特徴を前記第１のデバイスから前記第２のデバイスに転送する選択可能オプションをプロンプトするステップは、前記第２のデバイス上で前記第２のユーザにプロンプトするステップを含む、請求項２に記載の方法。
【請求項７】
前記閾値を生成するステップと、
前記閾値を前記第１のプロファイル内に記憶するステップと、
前記閾値を前記第１のプロファイルから読み出すステップと
をさらに含む、請求項２に記載の方法。
【請求項８】
前記閾値を生成するステップは、
前記第１のユーザによって現在消費されているメディアが広告によって中断されていることを判定するステップと、
前記第１のユーザが前記広告を無視し始めたことを検出するステップと、
前記メディアが前記広告によって中断された第１の時間と前記第１のユーザが前記広告を無視し始めた第２の時間との間の期間に基づいて、前記閾値を生成するステップと
を含む、請求項７に記載の方法。
【請求項９】
前記選択可能オプションのユーザ選択を受信するステップと、
前記双方向特徴を前記第１のデバイスから前記第２のデバイスに転送するステップと、
前記第１のユーザが前記メディアアセットを無視していることを検出するステップと、
前記第１のユーザが前記メディアアセットを無視していることの検出に応答して、表示のために、前記双方向特徴を前記第２のデバイスから前記第１のデバイスに逆転送する選択可能オプションを生成するステップと
をさらに含む、請求項２に記載の方法。
【請求項１０】
前記第１のユーザが前記メディアアセットを無視していることを検出するステップは、
前記ユーザの眼が前記メディアアセットの方向に向いていないことを検出するステップと、
前記ユーザの眼が前記メディアアセットの方向に向いていない期間を追跡するタイマをアクティブ化するステップと、
前記タイマに基づいて、前記ユーザの眼が前記メディアアセットの方向に向いていない期間が閾値を上回ることを判定するステップと、
前記判定に基づいて、前記ユーザが前記メディアアセットを無視していることを検出するステップと
を含む、請求項９に記載の方法。
【請求項１１】
前記第２のユーザに、前記双方向特徴を前記第１のデバイスから前記第２のデバイスに転送するようにプロンプトするステップは、
複数のアクセス可能デバイスを検出するステップと、
前記複数のアクセス可能デバイスのうちの第１のアクセス可能デバイスが前記第１のユーザと関連付けられることを判定するステップと、
前記第１のアクセス可能デバイス上での表示のために、前記双方向特徴を前記第１のアクセス可能デバイスに転送するプロンプトを生成するステップと
を含む、請求項２に記載の方法。
【請求項１２】
双方向特徴を第１のデバイスから第２のデバイスに転送するためのシステムであって、前記システムは、制御回路を備え、前記制御回路は、
第１のユーザおよび第２のユーザが第１のデバイス上でメディアアセットを消費していることを検出することと、
前記第２のユーザから、前記第１のデバイス上で双方向特徴をアクティブ化するためのコマンドを受信し、それによって、前記第１のユーザによる前記メディアアセットの消費を中断させることと、
前記双方向特徴をアクティブ化するためのコマンドの受信に応答して、
前記第１のユーザと関連付けられた第１のプロファイルのデータと前記メディアアセットのメタデータを比較し、前記メディアアセットが前記第１のユーザにとって関心があるかどうかを判定することと、
前記比較に基づいて、前記メディアアセットと関連付けられたメタデータが前記第１のプロファイルのデータに合致することを判定することと、
前記メディアアセットと関連付けられたメタデータが前記第１のプロファイルのデータに合致することの判定に応答して、
前記双方向特徴が前記第１のデバイス上でアクティブである期間を追跡するタイマをアクティブ化することと、
前記双方向特徴がアクティブである期間が閾値を上回ることを判定することと、
前記期間が前記閾値を上回ることの判定に応答して、
前記第２のユーザと関連付けられた第２のデバイスを識別することと、
前記第２のユーザに、前記双方向特徴を前記第１のデバイスから前記第２のデバイスに転送する選択可能オプションをプロンプトすることと
を行うように構成される、システム。
【請求項１３】
前記制御回路はさらに、
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止める
ように構成される、請求項１２に記載のシステム。
【請求項１４】
前記制御回路はさらに、
前記第１のユーザと関連付けられた第１のプロファイル内のデータに基づいて、前記第１のユーザが前記双方向特徴に関心があることを判定することと、
前記判定に基づいて、前記閾値を増加させることと
を行うように構成される、請求項１２に記載のシステム。
【請求項１５】
前記制御回路は、前記第２のユーザと関連付けられた第２のデバイスを識別するとき、
複数のアクセス可能デバイスを検出することと、
前記第２のユーザと関連付けられた第２のユーザプロファイルに基づいて、前記複数のアクセス可能デバイスのうちのデバイスが前記第２のユーザと関連付けられることを判定することと、
前記デバイスを前記第２のデバイスとして識別することと
を行うように構成される、請求項１２に記載のシステム。
【請求項１６】
前記制御回路はさらに、前記第２のユーザに、前記双方向特徴を前記第１のデバイスから前記第２のデバイスに転送する選択可能オプションをプロンプトするとき、前記第２のユーザに、前記第２のデバイス上でプロンプトするように構成される、請求項１２に記載のシステム。
【請求項１７】
前記制御回路はさらに、
前記閾値を生成することと、
前記閾値を前記第１のプロファイル内に記憶することと、
前記閾値を前記第１のプロファイルから読み出すことと、
を行うように構成される、請求項１２に記載のシステム。
【請求項１８】
前記制御回路はさらに、前記閾値を生成するとき、
前記第１のユーザによって現在消費されているメディアが広告によって中断されていることを判定することと、
前記第１のユーザが前記広告を無視し始めたことを検出することと、
前記メディアが前記広告によって中断された第１の時間と前記第１のユーザが前記広告を無視し始めた第２の時間との間の期間に基づいて、前記閾値を生成することと
を行うように構成される、請求項１７に記載のシステム。
【請求項１９】
前記制御回路はさらに、
前記選択可能オプションのユーザ選択を受信することと、
前記双方向特徴を前記第１のデバイスから前記第２のデバイスに転送することと、
前記第１のユーザが前記メディアアセットを無視していることを検出することと、
前記第１のユーザが前記メディアアセットを無視していることの検出に応答して、表示のために、前記双方向特徴を前記第２のデバイスから前記第１のデバイスに逆転送する選択可能オプションを生成することと
を行うように構成される、請求項１２に記載のシステム。
【請求項２０】
前記制御回路はさらに、前記第１のユーザが前記メディアアセットを無視していることを検出するとき、
前記ユーザの眼が前記メディアアセットの方向に向いていないことを検出することと、
前記ユーザの眼が前記メディアアセットの方向に向いていない期間を追跡するタイマをアクティブ化することと、
前記タイマに基づいて、前記ユーザの眼が前記メディアアセットの方向に向いていない期間が閾値を上回ることを判定することと、
前記判定に基づいて、前記ユーザが前記メディアアセットを無視していることを検出することと
を行うように構成される、請求項１９に記載のシステム。
【請求項２１】
前記制御回路はさらに、前記第２のユーザに、前記双方向特徴を前記第１のデバイスから前記第２のデバイスに転送するようにプロンプトするとき、
複数のアクセス可能デバイスを検出することと、
前記複数のアクセス可能デバイスのうちの第１のアクセス可能デバイスが前記第１のユーザと関連付けられることを判定することと、
前記第１のアクセス可能デバイス上での表示のために、前記双方向特徴を前記第１のアクセス可能デバイスに転送するプロンプトを生成することと
を行うように構成される、請求項１２に記載のシステム。
【請求項２２】
双方向特徴を第１のデバイスから第２のデバイスに転送するためのシステムであって、前記システムは、
第１のユーザおよび第２のユーザが第１のデバイス上でメディアアセットを消費していることを検出するための手段と、
前記第２のユーザから、前記第１のデバイス上で双方向特徴をアクティブ化するためのコマンドを受信し、それによって、前記第１のユーザによる前記メディアアセットの消費を中断させるための手段と、
前記双方向特徴をアクティブ化するためのコマンドの受信に応答して、
前記第１のユーザと関連付けられた第１のプロファイルのデータと前記メディアアセットのメタデータを比較し、前記メディアアセットが前記第１のユーザにとって関心があるかどうかを判定するための手段と、
前記比較に基づいて、前記メディアアセットと関連付けられたメタデータが前記第１のプロファイルのデータに合致することを判定するための手段と、
前記メディアアセットと関連付けられたメタデータが前記第１のプロファイルのデータに合致することの判定に応答して、
前記双方向特徴が前記第１のデバイス上でアクティブである期間を追跡するタイマをアクティブ化するための手段と、
前記双方向特徴がアクティブである期間が閾値を上回ることを判定するための手段と、
前記期間が前記閾値を上回ることの判定に応答して、
前記第２のユーザと関連付けられた第２のデバイスを識別するための手段と、
前記第２のユーザに、前記双方向特徴を前記第１のデバイスから前記第２のデバイスに転送する選択可能オプションをプロンプトするための手段と
を備える、システム
【請求項２３】
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止めるための手段をさらに備える、請求項２２に記載のシステム。
【請求項２４】
前記第１のユーザと関連付けられた第１のプロファイル内のデータに基づいて、前記第１のユーザが前記双方向特徴に関心があることを判定するための手段と、
前記判定に基づいて、前記閾値を増加させるための手段と
をさらに備える、請求項２２に記載のシステム。
【請求項２５】
前記第２のユーザと関連付けられた第２のデバイスを識別するための手段は、
複数のアクセス可能デバイスを検出するための手段と、
前記第２のユーザと関連付けられた第２のユーザプロファイルに基づいて、前記複数のアクセス可能デバイスのうちのデバイスが前記第２のユーザと関連付けられることを判定するための手段と、
前記デバイスを前記第２のデバイスとして識別するための手段と
を備える、請求項２２に記載のシステム。
【請求項２６】
前記第２のユーザに、前記双方向特徴を前記第１のデバイスから前記第２のデバイスに転送する選択可能オプションをプロンプトするための手段は、前記第２のデバイス上で前記第２のユーザにプロンプトするための手段を備える、請求項２２に記載のシステム。
【請求項２７】
前記閾値を生成するための手段と、
前記閾値を前記第１のプロファイル内に記憶するための手段と、
前記閾値を前記第１のプロファイルから読み出すための手段と
をさらに備える、請求項２２に記載のシステム。
【請求項２８】
前記閾値を生成するための手段は、
前記第１のユーザによって現在消費されているメディアが広告によって中断されていることを判定するための手段と、
前記第１のユーザが前記広告を無視し始めたことを検出するための手段と、
前記メディアが前記広告によって中断された第１の時間と前記第１のユーザが前記広告を無視し始めた第２の時間との間の期間に基づいて、前記閾値を生成するための手段と
を備える、請求項２７に記載のシステム。
【請求項２９】
前記選択可能オプションのユーザ選択を受信するための手段と、
前記双方向特徴を前記第１のデバイスから前記第２のデバイスに転送するための手段と、
前記第１のユーザが前記メディアアセットを無視していることを検出するための手段と、
前記第１のユーザが前記メディアアセットを無視していることの検出に応答して、表示のために、前記双方向特徴を前記第２のデバイスから前記第１のデバイスに逆転送する選択可能オプションを生成するための手段と
をさらに備える、請求項２２に記載のシステム。
【請求項３０】
前記第１のユーザが前記メディアアセットを無視していることを検出するための手段は、
前記ユーザの眼が前記メディアアセットの方向に向いていないことを検出するための手段と、
前記ユーザの眼が前記メディアアセットの方向に向いていない期間を追跡するタイマをアクティブ化するための手段と、
前記タイマに基づいて、前記ユーザの眼が前記メディアアセットの方向に向いていない期間が閾値を上回ることを判定するための手段と、
前記判定に基づいて、前記ユーザが前記メディアアセットを無視していることを検出するための手段と
を備える、請求項２９に記載のシステム。
【請求項３１】
前記第２のユーザに、双方向特徴を前記第１のデバイスから前記第２のデバイスに転送するようにプロンプトするための手段は、
複数のアクセス可能デバイスを検出するための手段と、
前記複数のアクセス可能デバイスのうちの第１のアクセス可能デバイスが前記第１のユーザと関連付けられることを判定するための手段と、
前記第１のアクセス可能デバイス上での表示のために、前記双方向特徴を前記第１のアクセス可能デバイスに転送するプロンプトを生成するための手段と
を備える、請求項２２に記載のシステム。
【請求項３２】
メモリを備える非一過性機械可読媒体であって、前記メモリは、双方向特徴を第１のデバイスから第２のデバイスに転送するための前記メモリ上にエンコードされた命令を有し、前記命令は、
第１のユーザおよび第２のユーザが第１のデバイス上でメディアアセットを消費していることを検出するための命令と、
前記第２のユーザから、前記第１のデバイス上で双方向特徴をアクティブ化するためのコマンドを受信し、それによって、前記第１のユーザによる前記メディアアセットの消費を中断させるための命令と、
前記双方向特徴をアクティブ化するためのコマンドの受信に応答して、
前記第１のユーザと関連付けられた第１のプロファイルのデータと前記メディアアセットのメタデータを比較し、前記メディアアセットが前記第１のユーザにとって関心があるかどうかを判定するための命令と、
前記比較に基づいて、前記メディアアセットと関連付けられたメタデータが前記第１のプロファイルのデータに合致することを判定するための命令と、
前記メディアアセットと関連付けられたメタデータが前記第１のプロファイルのデータに合致することの判定に応答して、
前記双方向特徴が前記第１のデバイス上でアクティブである期間を追跡するタイマをアクティブ化するための命令と、
前記双方向特徴がアクティブである期間が閾値を上回ることを判定するための命令と、
前記期間が前記閾値を上回ることの判定に応答して、
前記第２のユーザと関連付けられた第２のデバイスを識別するための命令と、
前記第２のユーザに、前記双方向特徴を前記第１のデバイスから前記第２のデバイスに転送する選択可能オプションをプロンプトするための命令と
を備える、非一過性機械可読媒体。
【請求項３３】
前記命令はさらに、
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止めるための命令
を備える、請求項３２に記載の非一過性コンピュータ可読媒体。
【請求項３４】
前記命令はさらに、
前記第１のユーザと関連付けられた第１のプロファイル内のデータに基づいて、前記第１のユーザが前記双方向特徴に関心があることを判定するための命令と、
前記判定に基づいて、前記閾値を増加させるための命令と
を備える、請求項３２に記載の非一過性機械可読媒体。
【請求項３５】
前記第２のユーザと関連付けられた第２のデバイスを識別するための命令は、
複数のアクセス可能デバイスを検出するための命令と、
前記第２のユーザと関連付けられた第２のユーザプロファイルに基づいて、前記複数のアクセス可能デバイスのうちのデバイスが前記第２のユーザと関連付けられることを判定するための命令と、
前記デバイスを前記第２のデバイスとして識別するための命令と
を備える、請求項３２に記載の非一過性機械可読媒体。
【請求項３６】
前記第２のユーザに、前記双方向特徴を前記第１のデバイスから前記第２のデバイスに転送する選択可能オプションをプロンプトするための命令は、前記第２のデバイス上で前記第２のユーザにプロンプトするための命令を備える、請求項３２に記載の非一過性機械可読媒体。
【請求項３７】
前記命令はさらに、
前記閾値を生成するための命令と、
前記閾値を前記第１のプロファイル内に記憶するための命令と、
前記閾値を前記第１のプロファイルから読み出すための命令と
を備える、請求項３２に記載の非一過性機械可読媒体。
【請求項３８】
前記閾値を生成するための命令は、
前記第１のユーザによって現在消費されているメディアが広告によって中断されていることを判定するための命令と、
前記第１のユーザが前記広告を無視し始めたことを検出するための命令と、
前記メディアが前記広告によって中断された第１の時間と前記第１のユーザが前記広告を無視し始めた第２の時間との間の期間に基づいて、前記閾値を生成するための命令と
を備える、請求項３７に記載の非一過性機械可読媒体。
【請求項３９】
前記命令はさらに、
前記選択可能オプションのユーザ選択を受信するための命令と、
前記双方向特徴を前記第１のデバイスから前記第２のデバイスに転送するための命令と、
前記第１のユーザが前記メディアアセットを無視していることを検出するための命令と、
前記第１のユーザが前記メディアアセットを無視していることの検出に応答して、表示のために、前記双方向特徴を前記第２のデバイスから前記第１のデバイスに逆転送する選択可能オプションを生成するための命令と
を備える、請求項３２に記載の非一過性機械可読媒体。
【請求項４０】
前記第１のユーザが前記メディアアセットを無視していることを検出するための命令は、
前記ユーザの眼が前記メディアアセットの方向に向いていないことを検出するための命令と、
前記ユーザの眼が前記メディアアセットの方向に向いていない期間を追跡するタイマをアクティブ化するためのための命令と、
前記タイマに基づいて、前記ユーザの眼が前記メディアアセットの方向に向いていない期間が閾値を上回ることを判定するための命令と、
前記判定に基づいて、前記ユーザが前記メディアアセットを無視していることを検出するための命令と
を備える、請求項３９に記載の非一過性機械可読媒体。
【請求項４１】
前記第２のユーザに、前記双方向特徴を前記第１のデバイスから前記第２のデバイスに転送するようにプロンプトするための命令は、
複数のアクセス可能デバイスを検出するための命令と、
前記複数のアクセス可能デバイスのうちの第１のアクセス可能デバイスが前記第１のユーザと関連付けられることを判定するための命令と、
前記第１のアクセス可能デバイス上での表示のために、前記双方向特徴を前記第１のアクセス可能デバイスに転送するプロンプトを生成するための命令と
を備える、請求項３２に記載の非一過性機械可読媒体。
【請求項４２】
双方向特徴を第１のデバイスから第２のデバイスに転送するための方法であって、前記方法は、
第１のユーザおよび第２のユーザが第１のデバイス上でメディアアセットを消費していることを検出するステップと、
前記第２のユーザから、前記第１のデバイス上で双方向特徴をアクティブ化するためのコマンドを受信し、それによって、前記第１のユーザによる前記メディアアセットの消費を中断させる、ステップと、
前記双方向特徴をアクティブ化するためのコマンドの受信に応答して、前記メディアアセットと関連付けられたメタデータが前記第１のプロファイルのデータに合致することを判定するステップと、
前記メディアアセットと関連付けられたメタデータが前記第１のプロファイルのデータに合致することの判定に応答して、前記双方向特徴がアクティブである期間が閾値を上回ることを判定するステップと、
前記期間が前記閾値を上回ることの判定に応答して、前記第２のユーザに、前記双方向特徴を前記第１のデバイスから前記第２のデバイスに転送する選択可能オプションをプロンプトするステップと
を含む、方法。
【請求項４３】
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止めるステップをさらに含む、請求項４２に記載の方法。
【請求項４４】
前記メディアアセットと関連付けられたメタデータが前記第１のプロファイルのデータに合致することを判定するステップは、
前記第１のユーザと関連付けられた第１のプロファイルのデータと前記メディアアセットのメタデータを比較し、前記メディアアセットが前記第１のユーザにとって関心があるかどうかを判定するステップ
を含む、請求項４２または４３のいずれかに記載の方法。
【請求項４５】
前記第２のユーザと関連付けられた第２のデバイスを識別するステップをさらに含み、前記第２のユーザと関連付けられた第２のデバイスを識別するステップは、
複数のアクセス可能デバイスを検出するステップと、
前記第２のユーザと関連付けられた第２のユーザプロファイルに基づいて、前記複数のアクセス可能デバイスのうちのデバイスが前記第２のユーザと関連付けられることを判定するステップと、
前記デバイスを前記第２のデバイスとして識別するステップと
によって行われる、請求項４２−４４のいずれかに記載の方法。
【請求項４６】
前記第２のユーザに、前記双方向特徴を前記第１のデバイスから前記第２のデバイスに転送する選択可能オプションをプロンプトするステップは、前記第２のデバイス上で前記第２のユーザにプロンプトするステップを含む、請求項４２−４５のいずれかに記載の方法。
【請求項４７】
前記双方向特徴がアクティブである期間が閾値を上回ることを判定するステップは、
前記双方向特徴が前記第１のデバイス上でアクティブである期間を追跡するタイマをアクティブ化するステップ
を含む、請求項４２−４６のいずれかに記載の方法。
【請求項４８】
前記閾値を生成するステップをさらに含み、前記閾値を生成するステップは、
前記第１のユーザによって現在消費されているメディアが広告によって中断されていることを判定するステップと、
前記第１のユーザが前記広告を無視し始めたことを検出するステップと、
前記メディアが前記広告によって中断された第１の時間と前記第１のユーザが前記広告を無視し始めた第２の時間との間の期間に基づいて、前記閾値を生成するステップと
によって行われる、請求項４２−４７のいずれかに記載の方法。
【請求項４９】
前記選択可能オプションのユーザ選択を受信するステップと、
前記双方向特徴を前記第１のデバイスから前記第２のデバイスに転送するステップと、
前記第１のユーザが前記メディアアセットを無視していることを検出するステップと、
前記第１のユーザが前記メディアアセットを無視していることの検出に応答して、表示のために、前記双方向特徴を前記第２のデバイスから前記第１のデバイスに逆転送する選択可能オプションを生成するステップと
をさらに含む、請求項４２−４８のいずれかに記載の方法。
【請求項５０】
前記第１のユーザが前記メディアアセットを無視していることを検出するステップは、
前記ユーザの眼が前記メディアアセットの方向に向いていないことを検出するステップと、
前記ユーザの眼が前記メディアアセットの方向に向いていない期間を追跡するタイマをアクティブ化するステップと、
前記タイマに基づいて、前記ユーザの眼が前記メディアアセットの方向に向いていない期間が閾値を上回ることを判定するステップと、
前記判定に基づいて、前記ユーザが前記メディアアセットを無視していることを検出するステップと
を含む、請求項４９に記載の方法。
【請求項５１】
前記第２のユーザに、前記双方向特徴を前記第１のデバイスから前記第２のデバイスに転送するようにプロンプトするステップは、
複数のアクセス可能デバイスを検出するステップと、
前記複数のアクセス可能デバイスのうちの第１のアクセス可能デバイスが前記第１のユーザと関連付けられることを判定するステップと、
前記第１のアクセス可能デバイス上での表示のために、前記双方向特徴を前記第１のアクセス可能デバイスに転送するプロンプトを生成するステップと
を含む、請求項４２−５０のいずれかに記載の方法。
【発明の詳細な説明】
【技術分野】
【０００１】
本願は、２０１６年７月１日に出願された米国特許出願第１５／２００，６３８号からの優先権の利益を主張するものであり、その内容は、全体が参照により本明細書中に援用される。
【背景技術】
【０００２】
人々は、多くの場合、メディアコンテンツを他者とともに消費する。例えば、夫婦がＴＶをともに鑑賞したり、友人がともに集まり、スポーツイベントをテレビ上で観戦したりする。メディアコンテンツは、多くの場合、ユーザによってアクセスされ得る、双方向特徴（例えば、製品情報、製品購入オプション、スポーツ統計、ハイライト場面、および他の双方向特徴）を含む。例えば、広告が番組内に表示されるとき、または番組が一時停止される間、ユーザは、ユーザにとって関心があり得る製品に関するより多くの情報を得るために、双方向特徴を選択可能である。しかしながら、現在のシステムは、同一デバイスからメディアアセットを同時に消費している別のユーザまたは複数のユーザの利便性を考慮しない。せいぜい、現在のシステムは、双方向特徴がアクティブ化された時点でメディアアセットを一時停止し、他のユーザによって見逃されたコンテンツを記録することに留まる。
【発明の概要】
【課題を解決するための手段】
【０００３】
したがって、現在のシステムは、双方向特徴がユーザのうちの１人によってアクティブ化されるとき、部屋内の他のユーザが苛立ち得ることを認識しない。現在のシステムは、双方向特徴があるユーザによってアクティブ化されるとき、他のユーザが苛立ち得ることを認識しないため、これらのシステムは、双方向特徴がアクティブである間、他のユーザが苛立ったりまたは怒ったりすることを防止するための機構を提供しない。したがって、双方向特徴を第１のデバイスから第２のデバイスに転送するための方法およびシステムが、提示される。本概念を実装するシステムは、２人のユーザが１つのデバイス上でメディアアセットを消費していることを検出し得、双方向特徴をアクティブ化するためのコマンドの受信に応じて、双方向特徴をアクティブ化しなかったユーザがメディアアセットに関心があるかどうかを判定してもよい。その判定に応じて、タイマが、アクティブ化され、双方向特徴がアクティブである時間量を追跡し、閾値期間が満たされたかどうかを判定する。いったん閾値期間が満たされると、システムは、双方向特徴をアクティブ化したユーザと関連付けられたデバイスを識別してもよく、ユーザに、双方向特徴をデバイスに転送するようにプロンプトしてもよい。
【０００４】
いくつかの側面では、メディアガイドアプリケーションは、双方向特徴を第１のデバイスから第２のデバイスに転送するように構成されてもよい。メディアガイドアプリケーションは、第１のユーザおよび第２のユーザが第１のデバイス上でメディアアセットを消費していることを検出し得る。例えば、２人の友人が、映画をテレビ上で鑑賞し得る。メディアガイドアプリケーションは、カメラを使用して、２人の人々を検出してもよい。
【０００５】
メディアガイドアプリケーションは、第２のユーザから、第１のデバイス上で双方向特徴をアクティブ化するためのコマンドを受信し、それによって、第１のユーザによるメディアアセットの消費を中断させてもよい。例えば、第２のユーザは、画面上の製品に気づき得（例えば、コマーシャルの間またはメディアアセットが再生している間）、製品に関するさらなる情報を所望し得る。その結果、メディアガイドアプリケーションは、製品に関するさらなる情報を得るためのコマンドをユーザから受信し得る（例えば、音声インターフェースまたは遠隔制御を使用した製品選択を介して）。
【０００６】
コマンドの受信に応答して、メディアガイドアプリケーションは、第１のユーザと関連付けられた第１のプロファイルのデータとメディアアセットのメタデータを比較し、メディアアセットが第１のユーザにとって関心があるかどうかを判定し、比較に基づいて、メディアアセットと関連付けられたメタデータが第１のプロファイルのデータに合致することを判定してもよい。例えば、第１のユーザと関連付けられたプロファイルが、ロマンスのジャンルに合致し、メディアアセットと関連付けられたメタデータが、キーワード「ロマンス」を含有する場合、メディアガイドアプリケーションは、ユーザがメディアアセットに関心があることを判定し得る。
【０００７】
メディアアセットと関連付けられたメタデータが第１のプロファイルのデータに合致することの判定に応答して、メディアガイドアプリケーションは、以下のアクションを行なってもよい。メディアガイドアプリケーションは、双方向特徴が第１のデバイス上でアクティブである期間を追跡するタイマをアクティブ化し、双方向特徴がアクティブである期間が閾値を上回ることを判定してもよい。例えば、メディアガイドアプリケーションは、双方向特徴がアクティブ化されると、タイマをアクティブ化し、特徴がアクティブである時間を継続して追跡してもよい。メディアガイドアプリケーションは、タイマの経過時間との比較のために、閾値を判定してもよい。例えば、各ユーザは、ユーザが関心がないメディアを消費する際にユーザが苛立つときを示す、関連付けられた期間を有してもよい。メディアガイドアプリケーションは、本期間を閾値として使用してもよい。期間は、ユーザのプロファイル内に記憶されてもよい。メディアガイドアプリケーションは、その期間を読み出し、それとタイマを比較し、閾値が満たされたかどうかを判定してもよい。
【０００８】
期間が閾値を上回ることの判定に応答して、メディアガイドアプリケーションは、第２のユーザと関連付けられた第２のデバイスを識別し、第２のユーザに、双方向特徴を第１のデバイスから第２のデバイスに転送する選択可能オプションをプロンプトしてもよい。例えば、メディアガイドアプリケーションは、全てのアクセス可能デバイスを検出し（例えば、無線接続を介して）、次いで、第２のユーザと関連付けられるデバイスを判定してもよい。メディアガイドアプリケーションは、表示のために、第１のデバイス上で表示される製品情報を第２のデバイスに転送するプロンプトを生成してもよい。
【０００９】
いくつかの実施形態では、第１のユーザがメディアアセットに関心がなく、したがって、苛立ないであろうため、第１のユーザまたは第２のユーザに、双方向特徴を転送するようにプロンプトしないことが有用であり得る。例えば、夫婦が、ラブコメディを鑑賞し得るとき、妻が、双方向特徴をアクティブ化する。メディアガイドアプリケーションは、夫がラブコメディに関心がないことを判定し、したがって、例えば、メディアアセットに関心がなく、遅延を気にしないため、妻が双方向特徴を探索している間、苛立ち得ないことを判定し得る。メディアアセットと関連付けられたメタデータが第１のプロファイルのデータに合致しないことの判定に応答して、メディアガイドアプリケーションは、タイマをアクティブ化することを止め、第２のユーザに、双方向特徴を第１のデバイスから第２のデバイスに転送する選択可能オプションをプロンプトすることを止めてもよい。例えば、メディアガイドアプリケーションが、ユーザのプロファイルに基づいて、第１のユーザがジャンルとしてロマンスに関心がないことを判定する場合、ユーザは、双方向特徴がアクティブであるとき、苛立ち得ない。したがって、メディアガイドアプリケーションは、ユーザに、双方向特徴を第２のデバイスに転送するようにプロンプトしなくてもよい。加えて、または代替として、メディアガイドアプリケーションは、プロンプトが生成されるべきではない場合、その必要があり得ないため、タイマを開始しなくてもよい。
【００１０】
いくつかの実施形態では、両ユーザが双方向特徴に関心がある場合、双方向特徴をより長い周期にわたってアクティブに保つことが有用であり得る。第１のユーザもまた、双方向特徴に関心がある場合、第１のユーザは、それほどすぐに苛立ち得ない。メディアガイドアプリケーションは、第１のユーザと関連付けられた第１のプロファイル内のデータに基づいて、第１のユーザが双方向特徴に関心があることを判定し、判定に基づいて、閾値を増加させてもよい。例えば、メディアガイドアプリケーションは、第２のユーザから、映画の今後の公開についてのさらなる情報を提供する、双方向特徴をアクティブ化するためのコマンドを受信し得る。メディアガイドアプリケーションは、第１のユーザが今後の映画に関心があり得ることを判定し、これに基づいて、閾値を２倍にしてもよい。閾値は、第１のユーザが双方向特徴と関連付けられたコンテンツに関心があることに基づいて増加されることに留意されたい。
【００１１】
メディアガイドアプリケーションは、以下のアクションを行うことによって、第２のユーザと関連付けられた第２のデバイスを識別してもよい。メディアガイドアプリケーションは、複数のアクセス可能デバイスを検出してもよい。例えば、メディアガイドアプリケーションは、無線接続（例えば、ＷＩＦＩまたはＢｌｕｅｔｏｏｔｈ（登録商標））を有するデバイス上に常駐してもよい。メディアガイドアプリケーションは、無線信号を伝送する（無線ネットワークに接続されるかどうかにかかわらず）、全てのアクセス可能デバイスを検出してもよい。メディアガイドアプリケーションは、第２のユーザと関連付けられた第２のユーザプロファイルに基づいて、複数のアクセス可能デバイスのうちのデバイスが第２のユーザと関連付けられることを判定し、デバイスを第２のデバイスとして識別してもよい。例えば、第２のユーザと関連付けられたプロファイルは、そのユーザと関連付けられたデバイスのリストを含んでもよい。メディアガイドアプリケーションは、ユーザのプロファイル内のデバイスと複数のアクセス可能デバイスを比較し、合致が存在するかどうかを判定してもよい。デバイスのうちの１つが合致する場合、メディアガイドアプリケーションは、合致するデバイスを第２のデバイスとして識別してもよい。加えて、または代替として、メディアガイドアプリケーションは、第２のユーザにそのデバイスを識別するように命令する、信号を全てのデバイスに伝送してもよい。メディアガイドアプリケーションが、第２のユーザと関連付けられたデバイスを識別するデバイスのうちの１つから応答を受信すると、メディアガイドアプリケーションは、そのデバイスを第２のデバイスとして選択してもよい。
【００１２】
いくつかの実施形態では、プロンプトを第２のデバイス上で生成することが有用であり得る。メディアガイドアプリケーションは、第２のユーザに、双方向特徴を第１のデバイスから第２のデバイスに転送する選択可能オプションをプロンプトするとき、第２のユーザに、第２のデバイス上でプロンプトしてもよい。例えば、第２のユーザが、関連付けられたスマートフォンを有する場合、メディアガイドアプリケーションは、第２のユーザに、そのスマートフォン上でプロンプトしてもよい。メディアガイドアプリケーションは、第２のユーザに第１のデバイス上でプロンプトすることに加え、またはその代わりに、第２のユーザに第２のデバイス上でプロンプトしてもよいことに留意されたい。
【００１３】
いくつかの実施形態では、メディアガイドアプリケーションは、閾値を生成し、閾値を第１のプロファイル内に記憶し、閾値を第１のプロファイルから読み出してもよい。メディアガイドアプリケーションは、以下のアクションを行うことによって、閾値を生成してもよい。メディアガイドアプリケーションは、第１のユーザによって現在消費されているメディアが広告によって中断されていることを判定してもよい。例えば、第１のユーザは、映画を鑑賞し得、映画は、広告によって中断され得る。メディアガイドアプリケーションは、第１のユーザが広告を無視し始めたことを検出し得る。例えば、メディアガイドアプリケーションは、ユーザがもはや広告を無視していることを検出し得る（カメラを介して）。メディアガイドアプリケーションは、メディアが広告によって中断された第１の時間と第１のユーザが広告を無視し始めた第２の時間との間の期間に基づいて、閾値を生成してもよい。本インスタンスにおける閾値期間は、第１のユーザが広告（おそらく、ユーザが関心がないコンテンツ）を見ているときに注意が逸れた速さに基づくことに留意されたい。例えば、広告が具体的時間に開始し、ユーザが３０秒後に注意を逸らした場合、メディアガイドアプリケーションは、閾値が３０秒であることを判定し得る。本プロセスは、より良好な閾値を得るために（例えば、全ての反復を平均することによって）、複数回、繰り返されてもよいことに留意されたい。
【００１４】
いくつかの実施形態では、例えば、第１のユーザが再生されているメディアアセットを無視しているとき、双方向特徴を第１のデバイスに逆転送することが有用であり得る。メディアガイドアプリケーションは、選択可能オプションのユーザ選択を受信し、双方向特徴を第１のデバイスから第２のデバイスに転送してもよい。例えば、ユーザ選択の受信に応じて、メディアガイドアプリケーションは、上記に説明されるように、第２のデバイスを検出し、双方向特徴と関連付けられたコンテンツを第２のデバイスにストリーミングしてもよい。
【００１５】
メディアガイドアプリケーションは、第１のユーザがメディアアセットを無視していることを検出し、第１のユーザがメディアアセットを無視していることの検出に応答して、表示のために、双方向特徴を第２のデバイスから第１のデバイスに逆転送する選択可能オプションを生成してもよい。例えば、メディアガイドアプリケーションは、カメラを使用して、第１のユーザの眼を追跡することによって、第１のユーザがメディアアセットを無視していることを判定し得、ユーザが第１のデバイスの方向を見ていない場合、メディアガイドアプリケーションは、ユーザがメディアアセットを無視していることを判定し得る。メディアガイドアプリケーションが、ユーザがメディアアセットを無視していることを判定すると、表示のために、選択されると、双方向特徴を第１のデバイスに逆転送するであろう、視覚的インジケータ（例えば、アイコンおよび／またはテキスト）を生成してもよい。メディアガイドアプリケーションは、双方向特徴と関連付けられたコンテンツの第２のデバイスへのストリーミングを停止することによって、転送を行なってもよい。
【００１６】
いくつかの実施形態では、ユーザがわずかではないまたは実質的期間にわたって注意を逸らしているとき、ユーザがメディアアセットを無視していることを検出することが有用であり得る。例えば、ユーザが５秒にわたって注意を逸らした場合、ユーザがメディアアセットを無視していることを検出することは有用ではあり得ない。メディアガイドアプリケーションは、第１のユーザがメディアアセットを無視していることを検出するとき、ユーザの眼がメディアアセットの方向に向いていないことを検出し、ユーザの眼がメディアアセットの方向に向いていない期間を追跡するタイマをアクティブ化してもよい。メディアガイドアプリケーションは、メディアガイドアプリケーションが常駐するデバイス（例えば、第１のデバイス）に内蔵または接続され得る、カメラを利用することによって、検出を実施してもよい。
【００１７】
メディアガイドアプリケーションは、タイマに基づいて、ユーザの眼がメディアアセットの方向に向いていない期間が閾値を上回ることを判定し、判定に基づいて、ユーザがメディアアセットを無視していることを検出してもよい。例えば、ユーザが、ショートテキストメッセージによって注意が逸れた場合、閾値は、満たされ得ず、メディアガイドアプリケーションは、ユーザがメディアアセットを無視していることを判定し得ない。しかしながら、ユーザが長い電話によって注意を逸らした場合、メディアガイドアプリケーションは、ユーザがメディアアセットを無視していることを検出し得る。
【００１８】
いくつかの実施形態では、例えば、第２のユーザがアクセス可能な関連付けられたデバイスを有していないとき、第２のユーザに、双方向特徴を第１のユーザと関連付けられたデバイスに転送するようにプロンプトすることが有用であり得る。メディアガイドアプリケーションは、複数のアクセス可能デバイスを検出し、複数のアクセス可能デバイスのうちの第１のアクセス可能デバイスが第１のユーザと関連付けられることを判定してもよい。例えば、メディアガイドアプリケーションは、第１のユーザと関連付けられたプロファイルにアクセスし、第１のユーザと関連付けられたデバイスのリストを読み出してもよい。メディアガイドアプリケーションは、複数のアクセス可能デバイスをユーザと関連付けられたデバイスのリストと比較してもよい。メディアガイドアプリケーションが、合致を識別する場合、メディアガイドアプリケーションは、第１のユーザと関連付けられたデバイスが見出されたことを判定し得る。
【００１９】
メディアガイドアプリケーションは、第１のアクセス可能デバイス上での表示のために、双方向特徴を第１のアクセス可能デバイスに転送するプロンプトを生成してもよい。メディアガイドアプリケーションは、次いで、第１のユーザと関連付けられた識別されたデバイス上でプロンプトを生成してもよい。いくつかの実施形態では、本プロセスは、メディアガイドアプリケーションが第２のユーザと関連付けられたアクセス可能デバイスが見出され得ないことを判定後、実施されてもよい。
【図面の簡単な説明】
【００２０】
【図１】図１は、本開示のいくつかの実施形態による、表示のために、双方向特徴を第１のデバイスから第２のデバイスに転送するプロンプトを生成するためのディスプレイ画面の例証的実施形態を示す。
【図２】図２は、本開示のいくつかの実施形態による、表示のために、双方向特徴を第１のデバイスから第２のデバイスに転送するプロンプトを生成するためのディスプレイ画面の別の例証的実施形態を示す。
【図３】図３は、本開示のいくつかの実施形態による、メディアガイドアプリケーション一覧および他のメディアガイド情報を提供するために使用され得る、表示画面の例証的実施形態を示す。
【図４】図４は、本開示のいくつかの実施形態による、メディアガイドアプリケーション一覧を提供するために使用され得る、表示画面の別の例証的実施形態を示す。
【図５】図５は、本開示のいくつかの実施形態による、例証的デバイスのブロック図である。
【図６】図６は、本開示のいくつかの実施形態による、例証的メディアシステムのブロック図である。
【図７】図７は、本開示のいくつかの実施形態による、表示のために、双方向特徴を第１のデバイスから第２のデバイスに転送するプロンプトを生成するための例証的プロセスを描写する。
【図８】図８は、本開示のいくつかの実施形態による、第１のユーザが再生されているメディアアセットに関心があるかどうかを判定することに関わる例証的プロセスを描写する。
【図９】図９は、本開示のいくつかの実施形態による、閾値時間に基づいて、双方向特徴を第１のデバイスから第２のデバイスに転送するプロンプトを生成するための例証的プロセスを描写する。
【発明を実施するための形態】
【００２１】
所与のコンテンツ配信システムではどれもユーザに利用可能なコンテンツの量はかなりの量であり得る。その結果、多くのユーザは、ユーザがコンテンツの選択を効率的にナビゲートし、要求するかもしれないコンテンツを容易に識別することを可能にするインターフェースを通したメディアガイダンスの形態を要求している。そのようなガイダンスを提供するアプリケーションは、本明細書では、双方向メディアガイダンスアプリケーションと称されるが、時として、メディアガイダンスアプリケーションまたはガイダンスアプリケーションと称されることもある。
【００２２】
双方向メディアガイダンスアプリケーションは、ガイダンスを提供するコンテンツに応じて種々の形態をとってもよい。典型的なタイプのメディアガイダンスアプリケーションの１つは、双方向テレビ番組ガイドである。双方向テレビ番組ガイド（時として、電子番組ガイドと称される場合もある）は、とりわけ、ユーザが、多くのタイプのコンテンツまたはメディアアセット間をナビゲートし、それを特定することが可能である、公知のガイダンスアプリケーションである。双方向メディアガイダンスアプリケーションは、ユーザが、コンテンツ間をナビゲートし、コンテンツを特定し、選択することを可能にするグラフィカルユーザインターフェース画面を生成してもよい。本明細書で参照されるように、用語「メディアアセット」および「コンテンツ」とは、電子的に消費可能なユーザアセット、例えば、テレビ番組、ならびに有料番組、オンデマンド番組（ビデオオンデマンド（ＶＯＤ）システムにおけるようなもの）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、プレイリスト、ウェブサイト、記事、書籍、電子書籍、ブログ、チャットセッション、ソーシャルメディア、アプリケーション、ゲーム、および／または任意の他のメディアもしくはマルチメディア、および／またはそれらの組み合わせを意味すると理解されたい。ガイダンスアプリケーションはまた、ユーザが、コンテンツ間をナビゲートし、コンテンツを特定することを可能にする。本明細書で参照されるように、用語「マルチメディア」とは、前述の少なくとも２つの異なるコンテンツ形態、例えば、テキスト、オーディオ、画像、ビデオ、または双方向コンテンツ形態を利用するコンテンツを意味すると理解されたい。コンテンツは、ユーザ機器デバイスによって、録画、再生、表示、またはアクセスされてもよいが、また、ライブパーフォーマンスの一部であることも可能である。
【００２３】
本明細書で議論される実施形態のいずれかを行うためのメディアガイダンスアプリケーションおよび／または任意の命令は、コンピュータ可読媒体上にエンコードされてもよい。コンピュータ可読媒体は、データを記憶することが可能な任意のメディアを含む。コンピュータ可読媒体は、限定ではないが、電気または電磁信号の伝搬を含む、一過性のものであってもよく、または限定されるものではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリまたは記憶デバイスを含む非一過性のものであってもよい。
【００２４】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、もしくは無線デバイス、および／またはそれらの組み合わせ等の前述のコンテンツにアクセスするための任意のデバイスを意味すると理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または背面カメラを有してもよい。これらのユーザ機器デバイス上で、ユーザは、テレビを通して利用可能な同一のコンテンツ間をナビゲートし、それを特定することが可能であってもよい。その結果として、メディアガイダンスは、これらのデバイス上でも利用可能であってもよい。提供されるガイダンスは、テレビのみを通して利用可能なコンテンツ、他のタイプのユーザ機器デバイスのうちの１つ以上のもののみを通して利用可能なコンテンツ、またはテレビおよび他のタイプのユーザ機器デバイスのうちの１つ以上のものの両方を通して利用可能なコンテンツのためのものであってもよい。メディアガイダンスアプリケーションは、ユーザ機器デバイス上で、オンラインアプリケーションとして提供されてもよく（例えば、ウェブサイト上で提供されてもよく）、もしくは独立型アプリケーションまたはクライアントとして提供されてもよい。メディアガイダンスアプリケーションを実装し得る種々のデバイスおよびプラットフォームは、以下でより詳細に説明される。
【００２５】
メディアガイダンスアプリケーションの機能の１つは、メディアガイダンスデータをユーザに提供することである。本明細書で参照されるように、語句「メディアガイダンスデータ」または「ガイダンスデータ」は、コンテンツに関連する任意のデータ、またはガイダンスアプリケーションを動作させる際に使用されるデータを意味すると理解されたい。例えば、ガイダンスデータは、番組情報、ガイダンスアプリケーション設定、ユーザの好み、ユーザプロファイル情報、メディアリスト項目、メディア関連情報（例えば、放送時間、放送チャンネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度、３Ｄ等）、オンデマンド情報、ブログ、ウェブサイト、およびユーザが所望のコンテンツ選択間をナビゲートし、それを特定するために役立つ、任意の他のタイプのガイダンスデータを含んでもよい。
【００２６】
本明細書で参照されるように、用語「〜に応答して」は、「〜の結果として開始される」ことを指す。例えば、第２のアクションに応答して行われている第１のアクションは、第１のアクションと第２のアクションとの間に介在ステップを含んでもよい。
【００２７】
本明細書で参照されるように、用語「〜に直接応答して」は、「〜によって引き起こされる」ことを指す。例えば、第２のアクションに直接応答して行われている第１のアクションは、第１のアクションと第２のアクションとの間に介在ステップを含まなくてもよい。
【００２８】
双方向特徴を第１のデバイスから第２のデバイスに転送するために有効にされるメディアガイドアプリケーションのためのシステムおよび方法が、本明細書に説明される。これらのシステムおよび方法が、メディアガイドアプリケーションの状況において説明されるであろうことに留意されたい。しかしながら、当業者は、これらのシステムおよび方法が、メディアガイドアプリケーションから独立して実装されてもよいことを理解するであろう。種々の双方向特徴が、双方向メディアガイドアプリケーションのユーザに利用可能であり得る。例えば、付加的製品情報が、関連付けられた製品がメディアアセット（例えば、番組または広告）中に現れるときに利用可能であり得る。双方向メディアガイドアプリケーションは、製品情報を補助データとして記憶してもよい。その補助データは、遠隔サーバ（例えば、図３−６に関連して以下に議論されるように、メディアコンテンツソース６１６またはメディアガイドデータソース６１８）から受信されてもよい。補助データは、特定のメディアアセット（例えば、番組または広告）と関連付けられてもよい。さらに、補助データは、メディアアセット内の具体的期間と関連付けられてもよい。例えば、メディアガイドアプリケーションは、メディアアセットと関連付けられたメタデータを記憶してもよい。メタデータは、双方向特徴がメディアアセットと関連付けられていることおよび個別の双方向特徴が利用可能な期間を示す、１つまたはそれを上回るエントリを含んでもよい。さらに、メタデータは、付加的製品情報を含む、補助データへのリンクを記憶してもよい。他の双方向特徴（例えば、ハイライト場面、スポーツ統計等）も、同一様式でメディアアセットと関連付けられてもよいことに留意されたい。製品がメディアアセット内に示されている期間の間、メディアガイドアプリケーションは、表示のために、製品と関連付けられた双方向特徴の可用性を示す、インジケータを生成してもよい。
【００２９】
図１は、表示のために、双方向特徴を第１のデバイスから第２のデバイスに転送するプロンプトを生成するためのディスプレイ画面の例証的実施形態を示す。図１に描写されるように、ユーザ１０２および１０４は、映画をユーザ機器１０８（例えば、ＴＶ）上で鑑賞しており、２人の俳優がビデオゲームをプレーしている。それぞれ、吹き出し１１２および１１４から明白であるように、ユーザ１０２は、映画に関心がある一方、ユーザ１０４は、２人の俳優によって映画内でプレーされているビデオゲームに関心がある。２人のユーザが鑑賞している映画は、アクティブ化されると、例えば、ユーザが、ビデオゲームに関するさらなる情報を得る、および／またはビデオゲームを購入することを可能にする、関連付けられた双方向特徴を有し得る。ユーザ１０４は、例えば、音声コマンドによって、双方向特徴をアクティブ化し得る。ユーザ１０４は、他の手段によって双方向特徴をアクティブ化してもよいことに留意されたい。例えば、ユーザ１０４は、遠隔制御を使用して、画面上のゲームを選択する、または全ての利用可能な双方向特徴を示すであろう、新しい画面をもたらしてもよい。
【００３０】
メディアガイドアプリケーションは、双方向特徴をアクティブ化するためのユーザコマンドを受信し、表示のために、オーバーレイ１０６を生成してもよい。オーバーレイ１０６は、双方向特徴と関連付けられた製品（本インスタンスでは、２人の俳優がプレーしているビデオゲーム）についての情報を含んでもよい。加えて、または代替として、オーバーレイ１０６は、ユーザのための他のオプションを含んでもよい。例えば、オーバーレイ１０６は、ゲームを購入するオプション、ユーザがゲームを購入することを可能にするウェブサイトに進むオプション、購入されたゲームをユーザのゲームシステムに伝送するオプション、ならびに他のオプションを含んでもよい。
【００３１】
双方向特徴が、アクティブになると、ユーザ１０２は、ユーザ１０２が示されている映画に関心があって、映画の鑑賞を継続することを所望するため、苛立ち得る。ユーザ１０２は、関連付けられた閾値期間を有してもよく、その後に、メディアガイドアプリケーションは、ユーザ１０２が苛立ったことを判定し得る。メディアガイドアプリケーションが、ユーザ１０２が苛立った（例えば、閾値が満たされた）ことを判定すると、メディアガイドアプリケーションは、表示のために別のデバイス上で継続するオプションを生成する、オーバーレイ１１０を表示のために生成してもよい。いくつかの実施形態では、オーバーレイ１１０が、表示のために生成されると、オーバーレイ１０６は、除去されてもよい。いくつかの実施形態では、オーバーレイ１０６およびオーバーレイ１１０は両方とも、図１に図示されるように、画面上に現れてもよい。いくつかの実施形態では、オーバーレイ１１０は、表示のために、テレビ上に生成されず、代わりに、双方向特徴が転送されるであろう、第２のデバイス上に生成されてもよい。いくつかの実施形態では、メディアガイドアプリケーションは、テレビと、双方向オプションが転送されるであろうデバイスとの両方上に、オーバーレイ１１０を生成してもよい。
【００３２】
図２は、表示のために、双方向特徴を第１のデバイスから第２のデバイスに転送するプロンプトを生成するためのディスプレイ画面の別の例証的実施形態を示す。ディスプレイ画面２００は、メディアガイドアプリケーションが起動中の電子タブレットのディスプレイ画面であってもよい。メディアガイドアプリケーションは、電子タブレットを双方向特徴が転送されるべきデバイスとして識別し得る。エリア２０２は、双方向特徴と関連付けられた製品（例えば、ビデオゲーム）についての情報を含んでもよい。写真２０６は、ビデオゲームまたはゲームと関連付けられた別のグラフィックのスクリーンショットであってもよく、エリア２０８は、ビデオゲームのタイトルを含んでもよい。プロンプト２０４は、電子タブレットへの双方向特徴の転送を開始する、選択可能オプションであってもよい。
【００３３】
いくつかの実施形態では、エリア２０２、写真２０６、およびタイトル２０８内の情報は、メディアアセットが消費されているデバイス（例えば、ユーザ機器１０８）から伝送されてもよい。例えば、メディアガイドアプリケーションが、電子タブレットが（例えば、図２に描写される電子タブレット）第２のユーザと関連付けられることを判定すると、メディアガイドアプリケーションは、メディアアセットが消費されているデバイス（例えば、ユーザ機器１０８）から補助データを伝送してもよい。補助データは、ユーザ機器１０８上に表示されているのと同一様式で電子タブレット上に表示されてもよい。
【００３４】
しかしながら、いくつかの実施形態では、情報２０２、スクリーンショット２０６、およびタイトル２０８は、異なるソース（例えば、メディアコンテンツソース６１６および／またはメディアガイドデータソース６１８）から受信されてもよい。例えば、ユーザ機器１０８上に常駐するメディアガイドアプリケーションは、コマンドを図２の電子タブレットに伝送し、タブレットに、サーバ（例えば、メディアコンテンツソース６１６と関連付けられたサーバおよび／またはメディアガイドデータソース６１８と関連付けられたサーバ）にコンタクトするように命令してもよい。電子タブレットは、サーバにコンタクトし、双方向特徴と関連付けられた情報（例えば、エリア２０２、スクリーンショット２０６、およびタイトル２０８内の情報）を読み出してもよい。他の情報（例えば、ゲームと関連付けられた評価）も、サーバから読み出されてもよいことに留意されたい。
【００３５】
いくつかの実施形態では、第２のユーザがオプション２０４を選択すると、メディアガイドアプリケーションは、双方向オプションを図２の電子タブレットに転送してもよい。いくつかの実施形態では、転送が完了されると、電子タブレットと関連付けられたメディアガイドアプリケーションは、双方向特徴を制御してもよい。例えば、電子タブレット上のメディアガイドアプリケーションは、示されているゲームに関するさらなる情報を要求してもよい。例えば、電子タブレットは、ユーザがゲームを購入するかどうかの決定を行うことが可能であるように、ゲームプレーのさらなるスクリーンショットまたはビデオを要求し得る。いくつかの実施形態では、写真２０６は、ビデオゲームの他のスクリーンショットまたはビデオゲームのビデオによって置換されてもよい。
【００３６】
いくつかの実施形態では、第２のユーザと関連付けられたデバイス（例えば、図２の電子タブレット）上のメディアガイドアプリケーションは、表示のために、製品（例えば、ビデオゲーム）を購入するオプションを生成してもよい。種々の購入オプションが、ユーザのために利用可能であってもよい。例えば、製品が映画である場合、電子タブレットと関連付けられたメディアガイドアプリケーションは、購入に応じて、映画をタブレットに自動的にダウンロードしてもよい。製品がビデオゲームである場合、メディアガイドアプリケーションは、ユーザがゲームを異なるデバイス上でプレーすることが可能であるように、ビデオゲームの異なるバージョン（例えば、電子タブレットバージョン、コンピュータバージョン、または別の好適なバージョン）を異なるデバイス上にインストールしてもよい。
【００３７】
図３〜４は、メディアガイダンスデータを提供するために使用され得る例証的表示画面を示す。図３〜４に示される表示画面は、任意の好適なユーザ機器デバイスまたはプラットフォーム上に実装されてもよい。図３〜４の表示は、フル画面表示として図示されているが、それらはまた、表示されているコンテンツ上に完全または部分的に重ね合わせられてもよい。ユーザは、表示画面に提供された選択可能なオプション（例えば、メニューオプション、リスト項目オプション、アイコン、ハイパーリンク等）を選択することによって、もしくはリモートコントロールまたは他のユーザ入力インターフェースもしくはデバイス上の専用ボタン（例えば、ＧＵＩＤＥ「ガイド」ボタン）を押下することによって、コンテンツ情報へのアクセスの要望を指示してもよい。ユーザの指示に応答して、メディアガイダンスアプリケーションは、グリッド内の時間およびチャンネル別、時間別、チャンネル別、ソース別、コンテンツタイプ別、カテゴリ別（例えば、映画、スポーツ、ニュース、子供向け、または他の番組カテゴリ）、または他の所定の、ユーザ定義の、もしくは他の編成基準等のいくつかの方法のうちの１つにおいて編成されたメディアガイダンスデータを伴う表示画面を提供してもよい。
【００３８】
図３は、単一表示内で異なるタイプのコンテンツへのアクセスも可能にする、時間およびチャンネル別に配列された番組リスト項目表示３００の例証的グリッドを示す。表示３００は、（１）チャンネル／コンテンツタイプ識別子３０４の列および（２）時間識別子３０６の行を持つグリッド３０２を含んでもよく、（１）チャンネル／コンテンツタイプ識別子３０４の列では、各チャンネル／コンテンツタイプ識別子（列内のセル）は利用可能な異なるチャンネルまたはコンテンツのタイプを特定しており、および（２）時間識別子３０６の行では、各時間識別子（行内のセル）は番組の時間帯を特定している。グリッド３０２も、番組リスト項目３０８等の番組リストのセルを含み、グリッド３０２では、各リスト項目は、チャンネルおよび時間に関連付けられたリスト項目上に設けられている番組のタイトルを提供する。ユーザ入力デバイスを用いて、ユーザは、ハイライト領域３１０を移動させることによって番組リスト項目を選択することができる。ハイライト領域３１０によって選択される番組リスト項目に関する情報が番組情報領域３１２内に提供されてもよい。領域３１２は、例えば、番組タイトル、番組内容、番組が提供される時間（該当する場合）、番組が放送されるチャンネル（該当する場合）、番組の評価、および他の所望の情報を含んでもよい。
【００３９】
線形番組（例えば、所定の時間に複数のユーザ機器デバイスに伝送されるようにスケジューリングされ、スケジューリングに従って提供されるコンテンツ）へのアクセスの提供に加え、メディアガイダンスアプリケーションは、非線形番組（例えば、任意の時間においてユーザ機器デバイスにアクセス可能であって、スケジューリングに従って提供されるものではないコンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルに記憶したコンテンツ（例えば、前述の任意のユーザ機器デバイスまたは他の記憶デバイス上に記憶されたコンテンツ）、または時間的制約のない他のコンテンツを含む異なるコンテンツソースからのコンテンツを含んでもよい。オンデマンドコンテンツは、映画または特定のコンテンツプロバイダ（例えば、「ザ  ソプラノス（Ｔｈｅ  Ｓｏｐｒａｎｏｓ）」や「カーブ  ユア  エンシュージアズム（Ｃｕｒｂ  Ｙｏｕｒ  Ｅｎｔｈｕｓｉａｓｍ）」を提供するＨＢＯオンデマンド（ＨＢＯ  Ｏｎ  Ｄｅｍａｎｄ））によって提供される任意の他のコンテンツを含んでもよい。ＨＢＯ  ＯＮ  ＤＥＭＡＮＤは、タイム  ワーナー  カンパニー  エル  ピーらによって所有されるサービスマークであり、ＴＨＥ  ＳＯＰＲＡＮＯＳおよびＣＵＲＢ  ＹＯＵＲ
ＥＮＴＨＵＳＩＡＳＭは、ホーム  ボックス  オフィス  インクによって所有される商標である。インターネットコンテンツは、チャットセッションまたはウェブキャスト等のウェブイベント、もしくはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含んでもよい。
【００４０】
グリッド３０２は、オンデマンドリスト項目３１４、録画コンテンツリスト項目３１６、およびインターネットコンテンツリスト項目３１８を含む非線形番組のメディアガイダンスデータを提供してもよい。異なるタイプのコンテンツソースからの、コンテンツのためのメディアガイダンスデータを組み合わせている表示は、時として、「混合メディア」表示と称されることもある。表示３００とは異なる、表示され得るメディアガイダンスデータのタイプの種々の配列（例えば、録画および放送リスト項目のみの表示、オンデマンドおよび放送リスト項目のみの表示等）は、ユーザ選択またはガイダンスアプリケーション定義に基づいてもよい。例証されるように、リスト項目３１４、３１６、および３１８は、これらのリスト項目の選択が、それぞれ、オンデマンドリスト項目、録画リスト項目、またはインターネットリスト項目専用の表示にアクセスできることを示すように、グリッド３０２内に表示される時間ブロック全体に及ぶように示されている。いくつかの実施形態では、これらのコンテンツタイプのリスト項目は、グリッド３０２に直接含まれてもよい。ユーザがナビゲーションアイコン３２０のうちの１つを選択することに応答して、付加的メディアガイダンスデータが表示されてもよい（ユーザ入力デバイス上の矢印キーを押下することは、ナビゲーションアイコン３２０を選択するのと同様な方法で表示に影響を及ぼしてもよい）。
【００４１】
表示３００はまた、ビデオ領域３２２、およびオプション領域３２６を含んでもよい。ビデオ領域３２２は、ユーザが、現在利用可能である、今後利用可能となる、またはユーザに利用可能であった番組を視聴および／またはプレビューすることを可能にしてもよい。ビデオ領域３２２のコンテンツは、グリッド３０２に表示されるリスト項目のうちの１つに対応するか、またはそれから独立していてもよい。ビデオ領域を含むグリッド表示は、時として、ピクチャインガイド（ＰＩＧ）表示と称されることもある。ＰＩＧ表示およびそれらの機能は、２００３年５月１３日発行のＳａｔｔｅｒｆｉｅｌｄらの米国特許第６，５６４，３７８号、および２００１年５月２９日発行のＹｕｅｎらの米国特許第６，２３９，７９４号でさらに詳細に説明されており、それらは全体として参照することによって本明細書に組み込まれる。ＰＩＧ表示は、本明細書に説明される実施形態の他のメディアガイダンスアプリケーション表示画面に含まれてもよい。
【００４２】
オプション領域３２６は、ユーザが、異なるタイプのコンテンツ、メディアガイダンスアプリケーション表示、および／またはメディアガイダンスアプリケーション特徴にアクセスすることを可能にしてもよい。オプション領域３２６は、ディプレイ３００（および本明細書に説明される他の表示画面）の一部であってもよく、もしくは画面上のオプションを選択すること、またはユーザ入力デバイス上の専用または割当可能ボタンを押下することによって、ユーザによって呼び出されてもよい。オプション領域３２６内の選択可能オプションは、グリッド３０２内の番組リスト項目に関連する特徴に関してもよく、またはメインメニュー表示から利用可能なオプションを含んでもよい。番組リスト項目に関連する特徴は、番組を受信する他の放送時間または他の方法を検索すること、番組を録画すること、番組の連続録画を有効化すること、番組および／またはチャンネルをお気に入りとして設定すること、番組を購入すること、もしくは他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイダンスデータ表示にアクセスするためのオプション、プレミアムサービスを購読するためのオプション、ユーザのプロファイルを編集するためのオプション、ブラウザオーバーレイにアクセスするためのオプション、もしくは他のオプションを含んでもよい。
【００４３】
メディアガイダンスアプリケーションは、ユーザの好みに基づいて個人向けにされてもよい。個人向けにされたメディアガイダンスアプリケーションは、ユーザが、表示および特徴をカスタマイズして、個人向にけされた「体験」をメディアガイダンスアプリケーションとともに生成することを可能にする。この個人向けにされた体験は、ユーザがこれらのカスタマイズを入力できるようにすることによって、および／またはメディアガイダンスアプリケーションがユーザ活動を監視することによって種々のユーザの好みを判定することによって生成されてもよい。ユーザは、ガイダンスアプリケーションにログインすることによって、またはその他の方法でガイダンスアプリケーションに対して自らを特定することによって、それらの個人向けにされたガイダンスアプリケーションにアクセスしてもよい。メディアガイダンスアプリケーションのカスタマイズは、ユーザプロファイルに従って作成されてもよい。カスタマイズは、提示方式（例えば、表示の色方式、テキストのフォントサイズ等）、表示されるコンテンツのリスト項目の態様（例えば、ＨＤＴＶ番組のみまたは３Ｄ番組のみ、お気に入りチャンネル選択に基づいたユーザ指定の放送チャンネル、チャンネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更させることを含んでもよい。
【００４４】
メディアガイダンスアプリケーションは、ユーザが、ユーザプロファイル情報を提供することを可能にしてもよく、またはユーザプロファイル情報を自動的にコンパイルしてもよい。メディアガイダンスアプリケーションは、例えば、ユーザがアクセスするコンテンツ、および／またはユーザがガイダンスアプリケーションと行い得る他の情報とのやりとりを監視してもよい。加えて、メディアガイダンスアプリケーションは、特定のユーザに関連する他のユーザプロファイルの全体または一部を（例えば、ｗｗｗ．ａｌｌｒｏｖｉ．ｃｏｍ等のユーザがアクセスするインターネット上の他のウェブサイトから、ユーザがアクセスする他のメディアガイダンスアプリケーションから、ユーザがアクセスする他の双方向アプリケーションから、ユーザの別のユーザ機器デバイスから、その他のものから）取得し、および／またはメディアガイダンスアプリケーションがアクセスし得る他のソースから、ユーザに関する情報を取得してもよい。結果として、ユーザの異なるユーザ機器デバイスにわたって、統一されたガイダンスアプリケーション体験をユーザに提供することができる。このタイプのユーザ体験は、図６に関連して、以下でより詳細に説明される。付加的な個人向けにされたメディアガイダンスアプリケーション特徴は、２００５年７月１１日出願のＥｌｌｉｓらの米国特許出願第２００５／０２５１８２７号、２００７年１月１６日出願のＢｏｙｅｒらの米国特許出願第７，１６５，０９８号、および２００２年２月２１日出願のＥｌｌｉｓらの米国特許出願第２００２／０１７４４３０号でさらに詳細に説明されており、それらは全体として参照することにより本明細書に組み込まれる。
【００４５】
メディアガイダンスを提供するための別の表示配列が、図４に示されている。ビデオモザイク表示４００は、コンテンツのタイプ、ジャンル、および／または他の編成基準に基づいて編成されたコンテンツ情報のための選択可能オプション４０２を含む。表示４００では、テレビリスト項目オプション４０４が選択され、これにより、リスト項目４０６、４０８、４１０、および４１２を放送番組リスト項目として提供している。表示４００では、リスト項目は、カバーアート、コンテンツからの静止画像、ビデオクリップのプレビュー、コンテンツからのライブビデオ、またはリスト項目中にメディアガイダンスデータによって記述されているコンテンツをユーザに示す他のタイプのコンテンツを含むグラフィック画像を提供してもよい。グラフィックリスト項目のそれぞれはまた、リスト項目と関連付けられたコンテンツに関するさらなる情報を提供するように、テキストを伴ってもよい。例えば、リスト項目４０８は、メディア部分４１４およびテキスト部分４１６を含む２以上の部分を含んでもよい。メディア部分４１４および／またはテキスト部分４１６は、コンテンツをフル画面で見るために、またはメディア部分４１４に表示されたコンテンツに関連する情報を見るために（例えば、ビデオが表示されているチャンネルのリストを見るために）、選択可能であってもよい。
【００４６】
表示４００中のリスト項目は、異なるサイズである（すなわち、リスト項目４０６は、リスト項目４０８、４１０、および４１２より大きい）が、必要であれば、全リスト項目が同一のサイズであってもよい。リスト項目は、コンテンツプロバイダの所望に応じて、またはユーザの好みに基づいて、ユーザに関心の程度を示すために、または、あるコンテンツを強調するために、異なるサイズであるか、またはグラフィックが強調されてもよい。コンテンツリストをグラフィック的に強調するための種々のシステムおよび方法は、例えば、全体として参照することにより本明細書に組み込まれる、２００９年１１月１２日に出願されたＹａｔｅｓの米国特許出願公開第２０１０／０１５３８８５号で議論されている。
【００４７】
ユーザは、そのユーザ機器デバイスのうちの１つ以上のものから、コンテンツおよびメディアガイダンスアプリケーション（および前述されかつ後述されている表示画面）にアクセスしてもよい。図５は、例証的ユーザ機器デバイス５００の汎用実施形態を示す。ユーザ機器デバイスのより具体的な実装は、図６に関連して以下で議論される。ユーザ機器デバイス５００は、入出力（以下「Ｉ／Ｏ」）パス５０２を介してコンテンツおよびデータを受信してもよい。Ｉ／Ｏパス５０２は、処理回路５０６および記憶装置５０８を含む制御回路５０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供してもよい。制御回路５０４は、Ｉ／Ｏパス５０２を使用して、コマンド、要求、および他の好適なデータを送受信するために使用されてもよい。Ｉ／Ｏパス５０２は、制御回路５０４（具体的には、処理回路５０６）を１つ以上の通信パス（以下で説明される）に接続してもよい。Ｉ／Ｏ機能は、これらの通信パスのうちの１つ以上のものによって提供されてもよいが、図面が複雑になり過ぎることを回避するため、図５では単一パスとして示されている。
【００４８】
制御回路５０４は、処理回路５０６等の任意の好適な処理回路に基づいてもよい。本明細書で参照されるように、処理回路とは、１つ以上のマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散されてもよい。いくつかの実施形態では、制御回路５０４は、メモリ（すなわち、記憶装置５０８）に記憶されたメディアガイダンスアプリケーションのために命令を実行する。具体的には、制御回路５０４は、メディアガイダンスアプリケーションによって、前述および後述の機能を行うように命令されてもよい。例えば、メディアガイダンスアプリケーションは、制御回路５０４に、メディアガイダンス表示を生成するための命令を提供してもよい。いくつかの実装では、制御回路５０４によって行われるいかなるアクションもメディアガイダンスアプリケーションから受信した命令に基づいてもよい。
【００４９】
クライアントサーバに基づく実施形態では、制御回路５０４は、ガイダンスアプリケーションサーバもしくは他のネットワークまたはサーバと通信するための好適な通信回路を含んでいてもよい。前述の機能性を実行するための命令は、ガイダンスアプリケーションサーバ上に記憶されてもよい。通信回路は、ケーブルモデム、総合デジタル通信網（ＩＳＤＮ）モデム、デジタルサブスクライバ回線（ＤＳＬ）モデム、電話モデム、イーサネット（登録商標）カード、または他の機器との通信用無線モデム、または任意の他の好適な通信回路を含んでもよい。そのような通信は、インターネットもしくは任意の他の好適な通信ネットワークまたはパスを伴ってもよい（このことは、図６に関連してさらに詳細に説明される）。加えて、通信回路は、ユーザ機器デバイスのピアツーピア通信、または相互に離れた場所にあるユーザ機器デバイス間での通信を可能にする回路を含んでもよい（以下でさらに詳細に説明されている）。
【００５０】
メモリは、制御回路５０４の一部である記憶装置５０８として提供される電子記憶デバイスであってもよい。本明細書で参照されるように、語句「電子記憶デバイス」または「記憶デバイス」とは、ランダム−アクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（ＤＶＲ、時として、パーソナルビデオレコーダと呼ばれる場合もある、またはＰＶＲ）、固体デバイス、量子記憶デバイス、ゲームコンソール、ゲームメディア、もしくは任意の他の好適な固定またはリムーバブル記憶デバイス、および／または任意のそれらの組み合わせ等の、電子データ、コンピュータソフトウェア、またはファームウェアを記憶するための任意のデバイスを意味すると理解されたい。記憶装置５０８は、本明細書に説明される種々のタイプのコンテンツ、ならびに前述のメディアガイダンスデータを記憶するために使用されてもよい。不揮発性メモリも、（例えば、ブートアップルーチンや他の命令を起動するために）使用されてもよい。図６に関連して説明されるクラウドベースの記憶装置が、記憶装置５０８を補完するために、または記憶装置５０８の代わりに使用されてもよい。
【００５１】
制御回路５０４は、ビデオ生成回路および同調回路、例えば、１つ以上のアナログチューナ、１つ以上のＭＰＥＧ−２デコーダ、または他のデジタルデコード回路、高解像度チューナ、または任意の他の好適な同調もしくはビデオ回路、もしくはそのような回路の組み合わせを含んでもよい。エンコード回路（例えば、無線、アナログ、またはデジタル信号を記憶のためにＭＰＥＧ信号に変換するためのもの）も設けられていてもよい。制御回路５０４はまた、コンテンツをユーザ機器５００の好ましい出力形式に上方変換および下方変換するためのスケーリング回路を含んでもよい。回路５０４はまた、デジタルおよびアナログ信号間で変換するためのデジタルからアナログへの変換回路ならびにアナログからデジタルへの変換回路を含んでもよい。同調およびエンコード回路は、コンテンツを受信して表示する、再生する、または録画するために、ユーザ機器デバイスによって使用されてもよい。同調およびエンコード回路はまた、ガイダンスデータを受信するために使用されてもよい。例えば、同調、ビデオ生成、エンコード、デコード、暗号化、解読、スケーリング、およびアナログ／デジタル回路を含む、本明細書に説明される回路は、１つ以上の汎用または特殊プロセッサ上で動作するソフトウェアを使用して実装されてもよい。複数のチューナが、同時同調機能（例えば、視聴および録画機能、ピクチャインピクチャ（ＰＩＰ）機能、多重チューナ録画機能等）に対処するように提供されてもよい。記憶装置５０８が、ユーザ機器５００とは別のデバイスとして提供される場合、同調およびエンコード回路（複数のチューナを含む）は、記憶装置５０８と関連付けられてもよい。
【００５２】
ユーザは、ユーザ入力インターフェース５１０を使用して、命令を制御回路５０４に送信してもよい。ユーザ入力インターフェース５１０は、任意の好適なユーザインターフェース、例えば、リモートコントロール、マウス、トラックボール、キーパッド、キーボード、タッチ画面、タッチパッド、スタイラス入力、ジョイスティック、音声認識インターフェース、または他のユーザ入力インターフェース等であってもよい。ディスプレイ５１２は、独立型デバイスとして提供されるか、またはユーザ機器デバイス５００の他の要素と統合してもよい。例えば、ディスプレイ５１２は、タッチスクリーンまたはタッチセンサ式ディスプレイであってもよい。そのような状況では、ユーザ入力インターフェース５１０は、ディスプレイ５１２と統合されても、または組み合わせられてもよい。ディスプレイ５１２は、モニタ、テレビ、モバイルデバイスのための液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマ表示パネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚的画像を表示するための任意の他の好適な機器のうちの１つ以上のものであってもよい。いくつかの実施形態では、ディスプレイ５１２は、ＨＤＴＶ対応型であってもよい。いくつかの実施形態では、ディスプレイ５１２は、３Ｄ表示であってもよく、双方向メディアガイダンスアプリケーションおよび任意の好適なコンテンツは、３Ｄで表示されてもよい。ビデオカードまたはグラフィックカードは、ディスプレイ５１２への出力を生成してもよい。ビデオカードは、３Ｄシーンおよび２Ｄグラフィックのレンダリング加速、ＭＰＥＧ−２／ＭＰＥＧ−４デコード、ＴＶ出力、または複数のモニタを接続する能力等の種々の機能をもたらしてもよい。ビデオカードは、制御回路５０４に関連する前述の任意の処理回路であってもよい。ビデオカードは、制御回路５０４と統合されていてもよい。スピーカ５１４は、ユーザ機器デバイス５００の他の要素との統合として提供されてもよく、または独立型ユニットであってもよい。ディスプレイ５１２上に表示されるビデオおよび他のコンテンツのオーディオコンポーネントは、スピーカ５１４を通して再生されてもよい。いくつかの実施形態では、音声は、音声を処理してスピーカ５１４を介して出力する受信機（図示せず）に配信されてもよい。
【００５３】
ガイダンスアプリケーションは、任意の好適なアーキテクチャを使用して実装されてもよい。例えば、それは、ユーザ機器デバイス５００上で完全に実装される、独立型アプリケーションであってもよい。そのようなアプローチでは、アプリケーションの命令は、ローカルに（例えば、記憶装置５０８に）記憶され、アプリケーションが使用するためのデータは、周期的に（例えば、帯域外フィードから、インターネットリソースから、または別の好適なアプローチを使用して）ダウンロードされる。制御回路５０４は、記憶装置５０８からアプリケーションの命令を読み出し、本明細書で議論される表示のいずれかを生成するための命令を処理してもよい。処理された命令に基づいて、制御回路５０４は、入力が入力インターフェース５１０から受信されるときにどんなアクションを行うべきかを判定してもよい。例えば、入力インターフェース５１０が上／下ボタンが選択されたことを示すとき、処理された命令によって表示上でのカーソルの上／下への移動が示されてもよい。
【００５４】
いくつかの実施形態では、メディアガイダンスアプリケーションは、クライアントサーバベースのアプリケーションである。ユーザ機器デバイス５００上に実装されたシックまたはシンクライアントによって使用するためのデータは、ユーザ機器デバイス５００の遠隔にあるサーバに要求を発行することによってオンデマンドで読み出される。クライアントサーバベースのガイダンスアプリケーションの一実施例では、制御回路５０４は、遠隔サーバによって提供されるウェブページを解釈するウェブブラウザを実行する。例えば、遠隔サーバは、記憶デバイス内にアプリケーションのための命令を記憶してもよい。遠隔サーバは、回路（例えば、制御回路５０４）を使用して、記憶された命令を処理し、前述および後述の表示を生成してもよい。クライアントデバイスは、遠隔サーバによって生成される表示を受信してもよく、表示の内容を機器デバイス５００上でローカルに表示してもよい。このように、命令の処理は、サーバによって遠隔で行われ、その一方、結果として生じる表示は、機器デバイス５００上にローカルに提供される。機器デバイス５００は、入力インターフェース５１０を介してユーザからの入力を受信し、対応する表示を処理して生成するために、それらの入力を遠隔サーバに伝送してもよい。例えば、機器デバイス５００は、上／下ボタンが入力インターフェース５１０を介して選択されたことを示す通信を遠隔サーバに伝送してもよい。遠隔サーバは、その入力に従って命令を処理し、入力に対応するアプリケーションの表示（例えば、カーソルを上／下に移動させる表示）を生成してもよい。生成された表示は、その後、ユーザへの提示のために、機器デバイス５００に伝送される。
【００５５】
いくつかの実施形態では、メディアガイダンスアプリケーションは、ダウンロードされ、インタープリタによって解釈されるか、あるいは（制御回路５０４によって動作させられる）仮想マシンによって別の方法で動作させられる。いくつかの実施形態では、ガイダンスアプリケーションは、ＥＴＶバイナリ交換形式（ＥＢＩＦ）でエンコードされ、好適なフィードの一部として制御回路５０４によって受信されて、制御回路５０４上で動作するユーザエージェントによって解釈されてもよい。例えば、ガイダンスアプリケーションは、ＥＢＩＦアプリケーションであってもよい。いくつかの実施形態では、ガイダンスアプリケーションは、制御回路５０４によって実行されるローカル仮想マシンまたは他の好適なミドルウェアによって受信されて動作させられる一連のＪＡＶＡ（登録商標）ベースのファイルによって定義されてもよい。そのような実施形態のうちのいくつか（例えば、ＭＰＥＧ−２または他のデジタルメディアエンコードスキームを採用するもの）では、ガイダンスアプリケーションは、例えば、番組のＭＰＥＧオーディオおよびビデオパケットを用いたＭＰＥＧ−２オブジェクトカルーセルにおいてエンコードされて伝送されてもよい。
【００５６】
図５のユーザ機器デバイス５００は、ユーザテレビ機器６０２、ユーザコンピュータ機器６０４、無線ユーザ通信デバイス６０６、または非携帯型ゲーム機等のコンテンツにアクセスするために好適な任意の他のタイプのユーザ機器として、図６のシステム６００に実装することができる。簡単にするために、これらのデバイスは、本明細書では総称して、ユーザ機器またはユーザ機器デバイスと称されてもよく、前述のユーザ機器デバイスに実質的に類似してもよい。メディアガイダンスアプリケーションが実装され得るユーザ機器デバイスは、独立型デバイスとして機能してもよく、またはデバイスのネットワークの一部であってもよい。デバイスの種々のネットワーク構成が実装されてもよく、以下でさらに詳細に議論されている。
【００５７】
図５に関連して上述されたシステム特徴のうちの少なくともいくつかを利用するユーザ機器デバイスは、もっぱら、ユーザテレビ機器６０２、ユーザコンピュータ機器６０４、または無線ユーザ通信デバイス６０６として分類されている必要はない。例えば、ユーザテレビ機器６０２は、いくつかのユーザコンピュータ機器６０４のように、インターネットコンテンツへアクセスすることを可能にするインターネット対応型であってもよく、その一方で、ユーザコンピュータ機器６０４は、テレビ機器６０２のように、テレビ番組へアクセスすることを可能にするチューナを含んでもよい。メディアガイダンスアプリケーションはまた、種々の異なるタイプのユーザ機器上で同一レイアウトを有してもよく、またはユーザ機器の表示能力に合わせられてもよい。例えば、ユーザコンピュータ機器６０４上では、ガイダンスアプリケーションは、ウェブブラウザによってアクセスされるウェブサイトとして提供されてもよい。別の実施例では、ガイダンスアプリケーションは、無線ユーザ通信デバイス６０６用に縮小されてもよい。
【００５８】
システム６００では、典型的には、各タイプのユーザ機器デバイスが２つ以上存在するが、図面が複雑になり過ぎることを回避するように、それぞれ１つだけが図６に示されている。加えて、各ユーザは、２つ以上のタイプのユーザ機器デバイスを利用し、しかも各タイプの２つ以上のユーザ機器デバイスを利用してもよい。
【００５９】
いくつかの実施形態では、ユーザ機器デバイス（例えば、ユーザテレビ機器６０２、ユーザコンピュータ機器６０４、無線ユーザ通信デバイス６０６）は、「第２の画面デバイス」と称されてもよい。例えば、第２の画面デバイスは、第１のユーザ機器デバイス上に提示されるコンテンツを補完してもよい。第２の画面デバイス上に提示されるコンテンツは、第１のデバイス上に提示されるコンテンツを補完する任意の好適なコンテンツであってもよい。いくつかの実施形態では、第２の画面デバイスは、第１のデバイスの設定および表示の好みを調節するためのインターフェースを提供する。いくつかの実施形態では、第２の画面デバイスは、他の第２の画面デバイスと情報のやりとりをする、またはソーシャルネットワークと情報のやりとりをするために構成される。第２の画面デバイスは、第１のデバイスと同一の部屋内に、第１のデバイスと異なる部屋であるが同一の家または建物内に、もしくは第１のデバイスと異なる建物内に設置され得る。
【００６０】
ユーザはまた、家庭内デバイスおよび遠隔デバイスにわたって一貫したメディアガイダンスアプリケーション設定を維持するように、種々の設定を行ってもよい。設定は、本明細書に説明される設定、ならびにお気に入りのチャンネルおよび番組、番組を推奨するためにガイダンスアプリケーションが利用する番組の好み、表示の好み、および他の望ましいガイダンス設定を含む。例えば、ユーザが、オフィスのパソコンで、例えば、ウェブサイトｗｗｗ．ａｌｌｒｏｖｉ．ｃｏｍの上で、チャンネルをお気に入りとして設定した場合、必要であれば、同一のチャンネルが、ユーザの家庭内デバイス（例えば、ユーザテレビ機器およびユーザコンピュータ機器）、ならびにユーザのモバイルデバイス上でお気に入りとして表示される。したがって、同一または異なるタイプのユーザ機器デバイスであるかどうかにかかわらず、１つのユーザ機器デバイス上で行われる変更は、別のユーザ機器デバイス上のガイダンス体験を変更することができる。加えて、行われる変更は、ユーザによる設定入力、ならびにガイダンスアプリケーションによって監視されるユーザ動作に基づいてもよい。
【００６１】
ユーザ機器デバイスは、通信ネットワーク６１４に連結されてもよい。すなわち、ユーザテレビ機器６０２、ユーザコンピュータ機器６０４、および無線ユーザ通信デバイス６０６は、それぞれ、通信パス６０８、６１０、および６１２を介して、通信ネットワーク６１４に連結される。通信ネットワーク６１４は、１つ以上のネットワークであってもよく、１つ以上のネットワークは、インターネット、携帯電話ネットワーク、モバイルボイスまたはデータネットワーク（例えば、４ＧまたはＬＴＥネットワーク））、ケーブルネットワーク、公衆交換電話ネットワーク、または他のタイプの通信ネットワーク、もしくは通信ネットワークの組み合わせを含む。パス６０８、６１０、および６１２は、それぞれ別々にまたはそれらの全体で、１つ以上の通信パス、例えば、衛星パス、光ファイバパス、ケーブルパス、インターネット通信をサポートするパス（例えば、ＩＰＴＶ）、フリースペース接続（例えば、放送または他の無線信号用）、もしくは任意の他の好適な有線または無線通信パス、もしくはそのようなパスの組み合わせ等を含んでもよい。パス６１２は、図６に示された例示的実施形態において、無線パスであることを示すように破線で描かれ、パス６０８および６１０は、有線パスであることを示すように実線で描かれている（しかし、これらのパスは、必要に応じて、無線パスであってもよい）。ユーザ機器デバイスとの通信は、１つ以上のこれらの通信パスによって提供されてもよいが、図６では、図面が複雑になり過ぎることを回避するために、単一パスとして示されている。
【００６２】
通信パスは、ユーザ機器デバイスの間には描かれていないが、これらのデバイスは、相互に通信パスを介して直接通信してもよく、通信パスは、例えば、パス６０８、６１０、および６１２に関連して上述されたもの、ならびに他の短距離ポイントツーポイント通信パス、例えば、ＵＳＢケーブル、ＩＥＥＥ１３９４ケーブル、無線パス（例えば、ブルートゥース（登録商標）、赤外線、ＩＥＥＥ８０２−１１ｘ等）等、もしくは有線または無線パスを介した他の短距離通信である。ＢＬＵＥＴＯＯＴＨ（登録商標）は、ブルートゥース（登録商標）  エス  アイ  ジー，インク．によって所有される認証マークである。ユーザ機器デバイスはまた、通信ネットワーク６１４を介した間接的パスを通して、直接相互に通信してもよい。
【００６３】
システム６００は、それぞれ、通信パス６２０および６２２を介して通信ネットワーク６１４に連結されるコンテンツソース６１６およびメディアガイダンスデータソース６１８を含む。パス６２０および６２２は、パス６０８、６１０、および６１２に関して上述された通信パスのうちのいずれかを含んでもよい。コンテンツソース６１６およびメディアガイダンスデータソース６１８との通信は、１つ以上の通信パスを介して交信されてもよいが、図６では、図面が複雑になり過ぎることを回避するために、単一パスとして示されている。加えて、コンテンツソース６１６およびメディアガイダンスデータソース６１８のそれぞれが２つ以上あってもよいが、図６では、図面が複雑になり過ぎることを回避するために、それぞれ１つだけが示されている。（これらのソースのそれぞれの異なるタイプを以下で議論する）。必要に応じて、コンテンツソース６１６およびメディアガイダンスデータソース６１８は、１つのソースデバイスとして統合されてもよい。ソース６１６および６１８と、ユーザ機器デバイス６０２、６０４、ならびに６０６との間の通信は、通信ネットワーク６１４を通したものとして示されているが、いくつかの実施形態では、ソース６１６および６１８は、通信パス（図示せず）、例えば、パス６０８、６１０、並びに６１２に関連して上述されたもの等を介して、ユーザ機器デバイス６０２、６０４、および６０６と直接通信してもよい。
【００６４】
コンテンツソース６１６は、１つ以上のタイプのコンテンツ配信機器を含んでいてもよく、１つ以上のタイプのコンテンツ配信機器は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む。ＮＢＣは、ナショナル  ブロードキャスティング  カンパニー，インク．によって所有される商標であり、ＡＢＣは、アメリカン  ブロードキャスティング  カンパニー，インク．によって所有される商標であり、ＨＢＯは、ホーム  ボックス  オフィス，インク．によって所有される商標である。コンテンツソース６１６は、コンテンツの発信元であってもよく、例えば、テレビ放送会社、ウェブキャストプロバイダ等であり、またはコンテンツの発信元でなくてもよく、例えば、オンデマンドコンテンツプロバイダ、ダウンロード用放送番組のコンテンツのインターネットプロバイダ等である。コンテンツソース６１６は、ケーブルソース、衛星プロバイダ、オンデマンドプロバイダ、インターネットプロバイダ、オーバーザトップコンテンツプロバイダ、またはコンテンツの他のプロバイダを含んでもよい。コンテンツソース６１６はまた、ユーザ機器デバイスのうちのいずれかからも遠隔の場所にある、異なるタイプのコンテンツ（ユーザによって選択されるビデオコンテンツを含む）を記憶するために使用される遠隔メディアサーバを含んでもよい。コンテンツの遠隔記憶のためのシステムおよび方法であって、遠隔に記憶されたコンテンツをユーザ機器に提供するためのシステムおよび方法は、全体として参照することにより本明細書に組み込まれる、２０１０年７月２０日出願のＥｌｌｉｓらの米国特許出願第７，７６１，８９２号に関連して、さらに詳細に議論されている。
【００６５】
メディアガイダンスデータソース６１８は、前述のメディアガイダンスデータ等のメディアガイダンスデータを提供してもよい。メディアガイダンスデータは、任意の好適なアプローチを使用して、ユーザ機器デバイスに提供されてもよい。いくつかの実施形態では、ガイダンスアプリケーションは、データフィード（例えば、継続フィードまたはトリクルフィード）を介して、番組ガイドデータを受信する独立型双方向テレビ番組ガイドであってもよい。番組スケジューリングデータおよび他のガイダンスデータは、テレビチャンネルのサイドバンド上で、帯域内デジタル信号を使用して、帯域外デジタル信号を使用して、または任意の他の好適なデータ伝送技術によって、ユーザ機器に提供されてもよい。番組スケジューリングデータおよび他のメディアガイダンスデータは、複数のアナログまたはデジタルテレビチャンネル上でユーザ機器に提供されてもよい。
【００６６】
いくつかの実施形態では、メディアガイダンスデータソース６１８からのガイダンスデータは、クライアントサーバアプローチを使用してユーザの機器に提供されてもよい。例えば、ユーザ機器デバイスは、メディアガイダンスデータをサーバからプルしてもよく、またはサーバは、メディアガイダンスデータをユーザ機器デバイスにプッシュしてもよい。いくつかの実施形態では、ユーザの機器上に常駐するガイダンスアプリケーションクライアントは、必要に応じて、例えば、ガイダンスデータが、古くなっているとき、またはユーザ機器デバイスがデータを受信する要求をユーザから受信したとき、ソース６１８とセッションを開始し、ガイダンスデータを取得してもよい。メディアガイダンスは、任意の好適な頻度で（例えば、継続的に、毎日、ユーザ指定周期で、システム指定周期で、あるいはユーザ機器からの要求に応答して等）ユーザ機器に提供されてもよい。メディアガイダンスデータソース６１８は、ユーザ機器デバイス６０２、６０４、および６０６に、メディアガイダンスアプリケーション自体、またはメディアガイダンスアプリケーションのソフトウェア更新を提供してもよい。
【００６７】
いくつかの実施形態では、メディアガイダンスデータは、視聴者データを含んでもよい。例えば、視聴者データは、現在および／または履歴ユーザアクティビティ情報（例えば、ユーザが典型的に見るコンテンツ、ユーザがコンテンツを見る時刻、ユーザがソーシャルネットワークと情報をやりとりするどうか、ユーザがソーシャルネットワークと情報のやりとりをし、情報をポストする時間、ユーザが典型的に見るコンテンツのタイプ（例えば、有料ＴＶまたは無料ＴＶ）、気分、脳の活動情報等）を含んでもよい。メディアガイダンスデータはまた、サブスクライブデータを含んでもよい。例えば、サブスクライブデータは、所与のユーザがどのソースまたはサービスにサブスクライブしているか（加入しているか）および／または所与のユーザがどのソースまたはサービスに以前サブスクライブしたが、後にアクセスを打ち切ったか（例えば、ユーザがプレミアムチャンネルにサブスクライブしているかどうか、ユーザがプレミアムレベルのサービスを追加したかどうか、ユーザがインターネット速度を加速させたかどうかなど）を識別してもよい。いくつかの実施形態では、視聴者データおよび／またはサブスクライブデータは、１年を上回る周期の間の所与のユーザのパターンを識別してもよい。メディアガイダンスデータは、所与のユーザがサービス／ソースへのアクセスを打ち切るであろう可能性を示すスコアを生成するために使用されるモデル（例えば、残存者モデル）を含んでもよい。例えば、メディアガイダンスアプリケーションは所与のユーザが特定のサービスまたはソースへのアクセスを打ち切るかどうかの可能性を示す値またはスコアを生成するためのモデルを用いて視聴者データをサブスクライブデータとともに処理してもよい。特に、より高いスコアは、ユーザが特定のサービスまたはソースへのアクセスを打ち切るより高いレベルの信頼性を示し得る。スコアに基づいて、メディアガイダンスアプリケーションは、ユーザがアクセスを打ち切る可能性が高いものとしてスコアによって示される特定のサービスまたはソースをユーザが維持するように勧誘する宣伝を生成してもよい。
【００６８】
メディアガイダンスアプリケーションは、例えば、ユーザ機器デバイス上に実装される独立型アプリケーションであってもよい。例えば、メディアガイダンスアプリケーションは、記憶装置５０８内に記憶されてユーザ機器デバイス５００の制御回路５０４によって実行され得るソフトウェアまたは実行可能命令のセットとして実装されてもよい。いくつかの実施形態では、メディアガイダンスアプリケーションは、クライアント−サーバアプリケーションであってもよく、その場合、クライアントアプリケーションのみユーザ機器デバイス上に常駐し、サーバアプリケーションは遠隔サーバ上に常駐する。例えば、メディアガイダンスアプリケーションは、部分的にユーザ機器デバイス５００の制御回路５０４上にクライアントアプリケーションとして実装され、部分的に遠隔サーバ上に、遠隔サーバの制御回路（例えば、メディアガイダンスデータソース６１８）上で動作するサーバアプリケーションとして実装されてもよい。遠隔サーバの制御回路（メディアガイダンスデータソース６１８等）によって実行されると、メディアガイダンスアプリケーションは、ガイダンスアプリケーション表示を生成し、生成された表示をユーザ機器デバイスに伝送するように制御回路に命令してもよい。サーバアプリケーションは、メディアガイダンスデータソース６１８の制御回路に、ユーザ機器上での記憶のためのデータを伝送するように命令してもよい。クライアントアプリケーションは、受信用ユーザ機器の制御回路に、ガイダンスアプリケーション表示を生成するように命令してもよい。
【００６９】
ユーザ機器デバイス６０２、６０４、および６０６に配信されるコンテンツならびに／またはメディアガイダンスデータは、オーバーザトップ（ＯＴＴ）コンテンツであってもよい。ＯＴＴコンテンツ配信は、前述の任意のユーザ機器デバイスを含むインターネット対応型ユーザデバイスが、ケーブルまたは衛星接続を経由して受信されるコンテンツに加え、前述の任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配信する。ＩＳＰは、視聴能力、著作権、またはコンテンツの再配信に関与していなくてもよく、ＯＴＴコンテンツプロバイダによって提供されるＩＰパケットのみ転送してもよい。ＯＴＴコンテンツプロバイダの実施例として、ＩＰパケットを介して、オーディオおよびビデオを提供する、ＹＯＵＴＵＢＥ（登録商標）、ＮＥＴＦＬＩＸ、およびＨＵＬＵが挙げられる。Ｙｏｕｔｕｂｅは、グーグル  インク．によって所有される商標であり、Ｎｅｔｆｌｉｘは、ネットフリックス  インク．によって所有される商標であり、Ｈｕｌｕは、フールー，ＬＬＣ．によって所有される商標である。ＯＴＴコンテンツプロバイダは、加えて、または代わりに、前述のメディアガイダンスデータを提供してもよい。コンテンツおよび／またはメディアガイダンスデータに加え、ＯＴＴコンテンツのプロバイダは、メディアガイダンスアプリケーション（例えば、ウェブベースのアプリケーションまたはクラウドベースのアプリケーション）を配信することができ、またはコンテンツは、ユーザ機器デバイス上に記憶されるメディアガイダンスアプリケーションによって表示されることができる。
【００７０】
メディアガイダンスシステム６００は、いくつかのアプローチまたはネットワーク構成を例証することを意図しており、これによって、ユーザ機器デバイスならびにコンテンツおよびガイダンスデータのソースは、コンテンツにアクセスしてメディアガイダンスを提供する目的で、相互に通信してもよい。本明細書に説明される実施形態は、これらのアプローチの任意の１つまたは一部において、もしくはコンテンツを配信してメディアガイダンスを提供するための他のアプローチを採用するシステムにおいて、適用されてもよい。以下の４つのアプローチは、図６の汎用実施例の具体的例証を提供する。
【００７１】
あるアプローチでは、ユーザ機器デバイスは、ホームネットワーク内で相互に通信してもよい。ユーザ機器デバイスは、上述された短距離ポイントツーポイント通信方式を介して、ホームネットワーク上に提供されるハブまたは他の類似デバイスを通した間接パスを介して、もしくは通信ネットワーク６１４を介して、直接相互に通信することができる。１つの家庭内の複数の個人のそれぞれが、ホームネットワーク上の異なるユーザ機器デバイスを操作してもよい。結果として、種々のメディアガイダンス情報または設定が、異なるユーザ機器デバイス間で伝達されることが望ましくあり得る。例えば、２００５年７月１１日出願のＥｌｌｉｓらの米国特許公開第２００５／０２５１８２７号でさらに詳細に説明されているように、ホームネットワーク内の異なるユーザ機器デバイス上で、ユーザが一貫したメディアガイダンスアプリケーション設定を維持することが望ましくてもよい。ホームネットワーク内の異なるタイプのユーザ機器デバイスも、相互に通信し、コンテンツを伝送してもよい。例えば、ユーザは、ユーザコンピュータ機器から携帯用ビデオプレーヤまたは携帯用音楽プレーヤにコンテンツを伝送してもよい。
【００７２】
第２のアプローチでは、ユーザは、ユーザがコンテンツにアクセスしてメディアガイダンスを取得するための複数のタイプのユーザ機器を有してもよい。例えば、一部のユーザは、家庭内およびモバイルデバイスによってアクセスされるホームネットワークを有してもよい。ユーザは、遠隔デバイス上に実装されるメディアガイダンスアプリケーションを介して家庭内デバイスを制御してもよい。例えば、ユーザは、オフィスのパーソナルコンピュータ、もしくはＰＤＡまたはウェブ対応携帯電話等のモバイルデバイスを介して、ウェブサイト上のオンラインメディアガイダンスアプリケーションにアクセスしてもよい。ユーザは、オンラインガイダンスアプリケーション上で種々の設定（例えば、録画、リマインダ、または他の設定）を設定して、ユーザの家庭内機器を制御してもよい。オンラインガイドは、直接、またはユーザの家庭内機器上のメディアガイダンスアプリケーションと通信することによって、ユーザの機器を制御してもよい。ユーザ機器デバイスが互いに離れた場所にある場合のユーザ機器デバイスの通信のための種々のシステムおよび方法は、例えば、その全体を参照することにより本明細書に組み込まれる、Ｅｌｌｉｓらの２０１１年１０月２５日発行の米国特許第８，０４６，８０１号で議論されている。
【００７３】
第３のアプローチでは、家庭内外のユーザ機器デバイスのユーザは、そのメディアガイダンスアプリケーションを使用することにより、コンテンツソース６１６と直接通信し、コンテンツにアクセスすることができる。具体的には、家庭内では、ユーザテレビ機器６０２およびユーザコンピュータ機器６０４のユーザは、メディアガイダンスアプリケーションにアクセスし、所望のコンテンツ間をナビゲートし、それを特定してもよい。ユーザはまた、無線ユーザ通信デバイス６０６を使用して家庭外のメディアガイダンスアプリケーションにアクセスすることにより、所望のコンテンツ間をナビゲートし、それを特定してもよい。
【００７４】
第４のアプローチでは、ユーザ機器デバイスは、クラウドコンピューティング環境内で操作し、クラウドサービスにアクセスしてもよい。クラウドコンピューティング環境では、コンテンツの共有、記憶、または配信のための種々のタイプのコンピューティングサービス（例えば、ビデオ共有サイトまたはソーシャルネットワーキングサイト）が、「クラウド」と称される、ネットワーク−アクセス可能コンピューティングおよび記憶リソースの集合によって提供される。例えば、クラウドは、サーバコンピューティングデバイスの集合を含むことができ、サーバコンピューティングデバイスは、中央または分散場所に位置することができ、クラウドベースのサービスを種々のタイプのユーザ、および通信ネットワーク６１４を介したインターネットなどのネットワークを介して接続されるデバイスに提供する。これらのクラウドリソースは、１つ以上のコンテンツソース６１６および１つ以上のメディアガイダンスデータソース６１８を含んでもよい。加えて、またはその代わりに、遠隔コンピューティングサイトは、ユーザテレビ機器６０２、ユーザコンピュータ機器６０４、および無線ユーザ通信デバイス６０６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中心サーバと通信せずに、ピアツーピア方式で動作してもよい。
【００７５】
クラウドは、ユーザ機器デバイスのために、とりわけ、コンテンツ記憶、コンテンツ共有、またはソーシャルネットワーキングサービス等のサービスへのアクセス、ならびに前述の任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、これにより、ユーザ供給コンテンツは、接続されたデバイスでの他者による視聴のために配信される。これらのクラウドベースのサービスは、ユーザ機器デバイスがコンテンツをローカルに記憶し、ローカルに記憶されたコンテンツにアクセスするのではなく、コンテンツをクラウドに記憶し、コンテンツをクラウドから受信することを可能にしてもよい。
【００７６】
ユーザは、カムコーダ、ビデオモード付きデジタルカメラ、オーディオレコーダ、携帯電話、およびハンドヘルドコンピューティングデバイス等の種々のコンテンツ捕捉デバイスを使用してコンテンツを録画してもよい。ユーザは、例えば、コンテンツ捕捉特徴を有するユーザコンピュータ機器６０４または無線ユーザ通信デバイス６０６からのいずれかから直接、クラウド上のコンテンツ記憶サービスにコンテンツをアップロードすることができる。その代わりに、ユーザは、最初に、コンテンツをユーザコンピュータ機器６０４等のユーザ機器デバイスに転送することができる。コンテンツを記憶するユーザ機器デバイスは、通信ネットワーク６１４でデータ伝送サービスを使用してコンテンツをクラウドにアップロードする。いくつかの実施形態では、ユーザ機器デバイス自体がクラウドリソースであり、他のユーザ機器デバイスが、ユーザがコンテンツを記憶したユーザ機器デバイスから直接コンテンツにアクセスすることができる。
【００７７】
クラウドリソースは、例えば、ウェブブラウザ、メディアガイダンスアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のためにクラウドコンピューティングに依拠するクラウドクライアントであってもよく、またはユーザ機器デバイスは、クラウドリソースへのアクセスを伴わないいくつかの機能性を有してもよい。例えば、ユーザ機器デバイス上で動作するいくつかのアプリケーションは、クラウドアプリケーション、すなわち、インターネットを経由してサービスとして配信されるアプリケーションであってもよく、その一方で、他のアプリケーションは、ユーザ機器デバイス上に記憶されてユーザ機器デバイスで動作してもよい。いくつかの実施形態では、ユーザデバイスは、コンテンツを複数のクラウドリソースから同時に受信してもよい。例えば、ユーザデバイスは、オーディオを１つのクラウドリソースからストリーミングし、その一方で、コンテンツを第２のクラウドリソースからダウンロードすることができる。または、ユーザデバイスは、より効率的ダウンロードのために、コンテンツを複数のクラウドリソースからダウンロードすることができる。いくつかの実施形態では、ユーザ機器デバイスは、図４に関連して説明される処理回路によって行われる処理動作等の処理動作のために、クラウドリソースを使用することができる。
【００７８】
図７は、表示のために、双方向特徴を第１のデバイスから第２のデバイスに転送するプロンプトを生成するための例証的プロセス７００を描写する。７０２では、メディアガイドアプリケーションは、第１のユーザおよび第２のユーザが第１のデバイス上でメディアアセットを消費していることを検出し得る（例えば、制御回路５０４を介して）。例えば、メディアガイドアプリケーションは、ユーザ機器デバイス（例えば、デバイス６０２、（５０４、または６０６）上に常駐してもよい。ユーザ機器デバイスは、カメラを含んでもよい。メディアガイドアプリケーションは、カメラをアクティブ化し、ユーザ機器デバイスが位置する部屋を撮影してもよい。カメラは、画像を処理し（例えば、処理回路５０６を使用して）、部屋内の人々を検出してもよい。メディアガイドアプリケーションは、部屋内の人々を検出する方法として、縁検出を使用してもよい。いくつかの実施形態では、メディアガイドアプリケーションは、顔認識アルゴリズムを実行し、メディアアセットを消費しているユーザ（例えば、ユーザ１０２およびユーザ１０４）を識別してもよい。いくつかの実施形態では、メディアガイドアプリケーションは、検出のために、画像を遠隔サーバ（例えば、メディアコンテンツソース６１６におけるサーバおよび／またはメディアガイドデータソース６１８におけるサーバ）に伝送してもよいことに留意されたい。いくつかの実施形態では、遠隔サーバもまた、メディアアセットを消費しているユーザ（例えば、図１のユーザ１０３および１０４）を識別してもよい。
【００７９】
７０４では、メディアガイドアプリケーションは、第２のユーザ（例えば、図１のユーザ１０４）から、第１のデバイス上で双方向特徴をアクティブ化するためのコマンドを受信し（例えば、制御回路５０４を介して）、それによって、第１のユーザによるメディアアセットの消費を中断させてもよい。例えば、メディアガイドアプリケーションは、音声認識モジュールを含んでもよく、ユーザは、コマンドを発話することができる。メディアガイドアプリケーションは、ユーザ入力インターフェース５１０を介して、コマンドを受信し、コマンドを双方向特徴をアクティブ化するための要求として識別してもよい。メディアガイドアプリケーションはまた、コマンドを遠隔制御または任意の他の入力デバイスから受信してもよい。例えば、ユーザは、関連付けられた製品を画面（例えば、図１の画面２００）上で選択することによって、双方向特徴をアクティブ化してもよい。メディアガイドアプリケーションは、ユーザ１０４が発話している間、カメラによって撮影された画像を分析することによって、コマンドがユーザ１０４から生じたことを判定してもよい。
【００８０】
７０６では、メディアガイドアプリケーションは、双方向特徴をアクティブ化するためのコマンドの受信に応答して、第１のユーザと関連付けられた第１のプロファイルのデータとメディアアセットのメタデータを比較し（例えば、制御回路５０４を介して）、メディアアセットが第１のユーザにとって関心があるかどうかを判定してもよく、比較に基づいて、メディアアセットと関連付けられたメタデータが第１のプロファイルのデータに合致することを判定してもよい（例えば、制御回路５０４を介して）。例えば、メディアガイドアプリケーションが、双方向特徴をアクティブ化するためのコマンドを受信すると、メディアガイドアプリケーションは、第１のユーザと関連付けられた第１のプロファイルを読み出してもよい。メディアガイドアプリケーションは、アクション７０２の間の検出中に発見されたユーザの識別を使用して、関連付けられたユーザプロファイルを検索してもよい。加えて、または代替として、メディアガイドアプリケーションは、正しいプロファイルを見出すために、検出の間に撮影されたユーザの画像を使用して、それらの画像とユーザのプロファイル内のユーザ写真を比較してもよい。ユーザプロファイルは、記憶装置５０８内に、またはメディアコンテンツソース６１６もしくはメディアガイドデータソース６１８の一部として、サーバ上に記憶されてもよい。いくつかの実施形態では、メディアガイドアプリケーションは、メディアガイドデータソース６１８および／またはメディアコンテンツソース６１６に移動する前に、最初に、プロファイルをローカルで（例えば、記憶装置５０８内で）識別することを試みてもよい。メディアガイドアプリケーションは、任意の順序で検索を実施してもよいことに留意されたい。
【００８１】
正しいプロファイルの識別に応じて、メディアガイドアプリケーションは、そのプロファイルを読み出し（例えば、制御回路５０４を介して）、そのプロファイルから関連付けられたメタデータを読み出してもよい。メディアガイドアプリケーションは、メディアアセットのメタデータを、記憶装置５０８、メディアコンテンツソース６１６、および／またはメディアガイドデータソース６１８から読み出してもよい。いくつかの実施形態では、メディアガイドアプリケーションは、メディアコンテンツソース６１６およびメディアガイドデータソース６１８に移動する前に、最初に、メタデータを記憶装置５０８から読み出すように試みてもよい。比較を実施するために、メディアガイドアプリケーションは、ユーザのプロファイルから、ユーザにとって関心があるコンテンツのタイプを示すキーワードを読み出し、それらのキーワードとメディアアセットのメタデータ内のテキストデータを比較してもよい。少なくとも１つのキーワードが合致する場合、メディアガイドアプリケーションは、メタデータが第１のユーザのプロファイルに合致することを判定してもよい。いくつかの実施形態では、合致が行われるために、１つを上回るキーワードが、合致される必要があり得る、またはキーワードのあるパーセンテージが、合致されなければならない。
【００８２】
いくつかの実施形態では、メディアガイドアプリケーションは、ユーザのプロファイル内のデータからユーザの関心を推定してもよい。例えば、ユーザのプロファイルは、ユーザがある期間にわたって消費したメディアアセットのリストを含んでもよい。メディアガイドアプリケーションは、それらのメディアアセットまたはそれらのメディアアセットの少なくとも一部の共通特性（例えば、ジャンル）を判定してもよい。メディアガイドアプリケーションは、メディアアセットと関連付けられたメタデータがユーザのプロファイル内のデータに合致するかどうかを判定するために、それらの特性とメディアアセットのメタデータを比較してもよい。
【００８３】
７０８では、メディアアセットと関連付けられたメタデータが第１のプロファイルのデータに合致することの判定に応答して、メディアガイドアプリケーションは、（１）双方向特徴が第１のデバイス上でアクティブである期間を追跡するタイマをアクティブ化してもよく（例えば、制御回路５０４を介して）、（２）双方向特徴がアクティブである期間が閾値を上回ることを判定してもよい（例えば、制御回路５０４を介して）。例えば、メディアガイドアプリケーションが、第１のユーザがメディアアセットに関心があることを判定する場合、メディアガイドアプリケーションは、双方向特徴がアクティブ化された時間を示す、開始時間を記憶してもよい。メディアガイドアプリケーションはまた、第１のユーザが苛立ち得る期間（例えば、１分）を示す、閾値を読み出してもよい。いくつかの実施形態では、本期間は、特定のユーザと関連付けられ、異なるユーザに対して異なり得る。いくつかの実施形態では、期間は、プロバイダまたは各具体的ユーザによって設定されてもよい。
【００８４】
いくつかの実施形態では、閾値は、生成され、具体的ユーザ（例えば、第１のユーザ）と関連付けられたプロファイル内に記憶されてもよく、メディアガイドアプリケーションによって、そのプロファイルから読み出されてもよい。メディアガイドアプリケーションは、双方向特徴がアクティブ化された時間を現在の時間から減算し、それと閾値を比較することによって、閾値が満たされるかどうかを判定してもよい。加えて、または代替として、メディアガイドアプリケーションは、従来のタイマを保ち（例えば、双方向特徴がアクティブ化されてからの経過時間を追跡する）、その値と閾値を比較してもよい。
【００８５】
メディアガイドアプリケーションは、第１のユーザが広告を無視し始めたことを検出してもよい。例えば、メディアガイドアプリケーションは、カメラおよび画像処理を使用して、ユーザがある時間量にわたってコマーシャルから眼を逸らしたことを検出してもよい。メディアガイドアプリケーションは、メディアが広告によって中断された第１の時間と第１のユーザが広告を無視し始めた第２の時間との間の期間に基づいて、閾値を生成してもよい。例えば、メディアガイドアプリケーションが、コマーシャルの開始とユーザがその眼を逸らした時間との間で３０秒が経過したことを検出する場合、メディアガイドアプリケーションは、３０秒の閾値を生成してもよい。いくつかの実施形態では、本プロセスは、複数回、繰り返されてもよく、平均閾値時間が、生成され、より正確な結果を得てもよい。
【００８６】
７１０では、期間が閾値を上回ることの判定に応答して、メディアガイドアプリケーションは、（１）第２のユーザと関連付けられた第２のデバイスを識別してもよく（例えば、制御回路５０４を介して）、（２）（例えば、制御回路５０４を介して、ディスプレイ５１２上で）第２のユーザに、双方向特徴を第１のデバイスから第２のデバイスに転送する選択可能オプションをプロンプトしてもよい。
【００８７】
いくつかの実施形態では、メディアガイドアプリケーションは、以下のアクションによって、第２のユーザと関連付けられた第２のデバイスを識別してもよい。メディアガイドアプリケーションは、複数のアクセス可能デバイスを検出してもよい。例えば、メディアガイドアプリケーションは、デバイスが近傍の他の無線デバイスを検出することを可能にする、無線ネットワークカードを含む、デバイス上に常駐し得る。メディアガイドアプリケーションは、それらのデバイスを検出し、アクセス可能であるかどうか（例えば、メディアガイドアプリケーションのインスタンスがそれらのデバイス上で起動しているかどうか）を判定してもよい。いくつかの実施形態では、メディアガイドアプリケーションは、無線ネットワークカードを使用して、無線ネットワーク（例えば、ＷＩＦＩネットワーク）に接続して、無線ネットワーク上でアクセス可能デバイスを検出してもよい。加えて、または代替として、メディアガイドアプリケーションは、Ｂｌｕｅｔｏｏｔｈ（登録商標）ネットワークを経由してアクセス可能なデバイスを検出してもよい。
【００８８】
メディアガイドアプリケーションは、第２のユーザと関連付けられた第２のユーザプロファイルに基づいて、複数のアクセス可能デバイスのうちのデバイスが第２のユーザと関連付けられることを判定し、デバイスを第２のデバイスとして識別してもよい。例えば、各ユーザのプロファイルは、そのユーザと関連付けられたデバイスのリストを有してもよい。デバイスのリストは、デバイス識別（例えば、ハードウェアアドレス）を含んでもよい。メディアガイドアプリケーションは、第２のユーザと関連付けられたプロファイル内のハードウェアアドレスと検出されたアクセス可能デバイスのハードウェアアドレスを比較してもよい。メディアガイドアプリケーションが、合致が見出されることを判定する場合、メディアガイドアプリケーションは、合致されたデバイスを第２のデバイスとして識別してもよい。
【００８９】
いくつかの実施形態では、メディアガイドアプリケーションは、図１に関連して説明されるように、プロンプトを生成してもよい。いくつかの実施形態では、メディアガイドアプリケーションは、第２のユーザに、双方向特徴を第１のデバイスから第２のデバイスに転送する選択可能オプションをプロンプトするとき、第２のユーザに第２のデバイス上でプロンプトしてもよい。例えば、メディアガイドアプリケーションは、第２のユーザと関連付けられた電子タブレット（例えば、図２の電子タブレット）上でプロンプトを生成してもよい。電子タブレットは、無線ユーザ通信デバイス６０６として識別されてもよい。
【００９０】
図７の説明は、本開示の任意の他の実施形態と併用されてもよいことが検討される。加えて、図７のプロセスに関連して説明される説明は、代替順序で、または並行して実施され、本開示の目的を促してもよい。さらに、図７のプロセスは、適切に構成されるソフトウェアおよびハードウェアの組み合わせ上に実装されてもよく、図１−２および５−６に関連して議論されるデバイスまたは機器のいずれかが、プロセスの１つまたはそれを上回る部分を実装するために使用され得ることに留意されたい。さらに、プロセス７００のステップは、プロセス８００および９００の任意のステップと併せて使用されてもよい。プロセス７００のステップは、省略される、またはプロセス８００もしくは９００の任意のステップと置換されてもよい。
【００９１】
図８は、第１のユーザが再生されているメディアアセットに関心があるかどうかを判定することに関わる例証的プロセス８００を描写する。８０２では、メディアガイドアプリケーションは、第１のユーザおよび第２のユーザが第１のデバイス上でメディアアセットを消費していることを検出し得る（例えば、制御回路５０４を介して）。アクション８０２は、図７に関連して説明されるアクション７０２と同一様式で実施されてもよい。８０４では、メディアガイドアプリケーションは、第２のユーザから、第１のデバイス上で双方向特徴をアクティブ化するためのコマンドを受信し得る（例えば、ユーザ入力インターフェース５１０から制御回路５０４を介して）。アクション８０４は、図７に関連して説明されるアクション７０４と同一様式で実施されてもよい。
【００９２】
８０６では、メディアガイドアプリケーションは、第１のユーザを識別してもよい（例えば、制御回路５０４を介して）。メディアガイドアプリケーションは、正しいプロファイルを見出すために、カメラによって撮影されたユーザの画像を使用して、それらの画像とユーザのプロファイル内のユーザ写真を比較してもよい。ユーザプロファイルは、記憶装置５０８内に、またはメディアコンテンツソース６１６もしくはメディアガイドデータソース６１８のサーバ部分上に記憶されてもよい。いくつかの実施形態では、メディアガイドアプリケーションは、メディアガイドデータソース６１８および／またはメディアコンテンツソース６１６に移動する前に、最初に、プロファイルをローカルで（例えば、記憶装置５０８内で）識別することを試みてもよい。メディアガイドアプリケーションは、任意の順序で検索を実施してもよいことに留意されたい。
【００９３】
８０８では、メディアガイドアプリケーションは、第１のユーザが関連付けられたプロファイルを有するかどうかを判定してもよい（例えば、制御回路５０４を介して）。第１のユーザが、関連付けられたプロファイルを有していない場合、プロセス８００は、ステップ８２０に進む。８２０では、メディアガイドアプリケーションは、第１のユーザのための新しいプロファイルを作成してもよい（例えば、制御回路５０４を介して）。メディアガイドアプリケーションは、新しいプロファイルを記憶装置５０８内に記憶してもよい。加えて、または代替として、メディアガイドアプリケーションは、新しいプロファイルをメディアコンテンツソース６１６および／またはメディアガイドデータソース６１８に記憶してもよい。プロファイルが作成された後、プロセス８００は、８１８に進む。
【００９４】
第１のユーザが、関連付けられたプロファイルを有する場合、プロセス８００は、８１０に進み、メディアガイドアプリケーションは、第１のユーザと関連付けられた第１のプロファイルを読み出してもよい（例えば、制御回路５０４を介して）。メディアガイドアプリケーションは、第１のプロファイルを、記憶装置５０８、メディアコンテンツソース６１６、またはメディアガイドデータソース６１８から読み出してもよい。
【００９５】
８１２では、メディアガイドアプリケーションは、メディアアセットと関連付けられたメタデータを読み出してもよい（例えば、制御回路５０４を介して）。メディアガイドアプリケーションは、メディアアセットのメタデータを、記憶装置５０８、メディアコンテンツソース６１６、および／またはメディアガイドデータソース６１８から読み出してもよい。いくつかの実施形態では、メディアガイドアプリケーションは、メディアコンテンツソース６１６およびメディアガイドデータソース６１８に移動する前に、最初に、メタデータを記憶装置５０８から読み出すことを試みてもよい。
【００９６】
８１４では、メディアガイドアプリケーションは、メディアアセットと関連付けられたメタデータが第１のプロファイルのデータに合致するかどうかを判定してもよい（例えば、制御回路５０４を介して）。メディアガイドアプリケーションは、ユーザのプロファイルから、ユーザにとって関心があるコンテンツのタイプを示すキーワードを読み出し、それらのキーワードとメディアアセットのメタデータ内のテキストデータを比較してもよい。少なくとも１つのキーワードが合致する場合、メディアガイドアプリケーションは、メタデータが第１のユーザのプロファイルに合致することを判定してもよい。いくつかの実施形態では、合致が行われるために、１つを上回るキーワードが、合致される必要があり得る、またはキーワードのあるパーセンテージが、合致されなければならない。
【００９７】
いくつかの実施形態では、メディアガイドアプリケーションは、ユーザのプロファイル内のデータからユーザの関心を推定してもよい。例えば、ユーザのプロファイルは、ユーザがある期間にわたって消費したメディアアセットのリストを含んでもよい。メディアガイドアプリケーションは、それらのメディアアセットまたはそれらのメディアアセットの少なくとも一部の共通特性（例えば、ジャンル）を判定してもよい。メディアガイドアプリケーションは、メディアアセットと関連付けられたメタデータがユーザのプロファイル内のデータに合致するかどうかを判定するために、それらの特性とメディアアセットのメタデータを比較してもよい。
【００９８】
メディアアセットと関連付けられたメタデータが第１のプロファイルのデータに合致しない場合、プロセス８００は、８１６に移動し、メディアガイドアプリケーションは、合致が識別されなかったことのメッセージを伝送する（例えば、制御回路５０４を介してＩ／Ｏパス５０２を通して）。本メッセージは、プロセス８００が終了すべきことを示す、システムメッセージであってもよい。メディアアセットと関連付けられたメタデータが第１のプロファイルのデータに合致する場合、プロセス８００は、８１８に進む。プロセス９００が、本時点で処理を引き継ぐ。
【００９９】
図８の説明は、本開示の任意の他の実施形態と併用されてもよいことが検討される。加えて、図８のプロセスに関連して説明される説明は、代替順序で、または並行して実施され、本開示の目的を促してもよい。さらに、図８のプロセスは、適切に構成されるソフトウェアおよびハードウェアの組み合わせ上に実装されてもよく、図１−２および５−６に関連して議論されるデバイスまたは機器のいずれかが、プロセスの１つまたはそれを上回る部分を実装するために使用され得ることに留意されたい。さらに、プロセス８００のステップは、プロセス７００および９００の任意のステップと併せて使用されてもよい。プロセス８００のステップは、省略される、またはプロセス７００もしくは９００の任意のステップと置換されてもよい。
【０１００】
図９は、閾値時間に基づいて、双方向特徴を第１のデバイスから第２のデバイスに転送するプロンプトを生成するための例証的プロセス９００を描写する。９０２では、メディアガイドアプリケーションは、双方向特徴が第１のデバイス上でアクティブである期間を追跡するタイマをアクティブ化してもよい（例えば、制御回路５０４を介して）。例えば、メディアガイドアプリケーションは、双方向特徴がアクティブ化された時間を示す、開始時間を記憶し、後に、記憶された時間と将来の現在の時間を比較し、双方向特徴がアクティブである期間を追跡してもよい。加えて、または代替として、メディアガイドアプリケーションは、タイマを０から開始し、時間が経過するにつれて、値を更新してもよい。
【０１０１】
９０４では、メディアガイドアプリケーションは、閾値を第１のユーザと関連付けられた第１のプロファイルから読み出してもよい（例えば、制御回路５０４を介して）。例えば、メディアガイドアプリケーションは、記憶装置５０８内にローカルで、またはメディアガイドデータソース６１８もしくはメディアコンテンツソース６１６に遠隔で記憶されるプロファイルから、閾値を読み出してもよい。９０６では、メディアガイドアプリケーションは、タイマ上の現在の経過時間と閾値を比較する（例えば、制御回路５０４を介して）。本プロセスは、図７のプロセス７００に関連して説明されるように実装されてもよい。９０８では、メディアガイドアプリケーションは、閾値が経過時間を上回るまたはそれと等しいかどうかを判定してもよい（例えば、制御回路５０４を介して）。閾値が、経過時間を上回らないまたはそれと等しい場合、プロセス９００は、ステップ９０６に進み、比較が再び行われる。閾値が、経過時間を上回るまたはそれと等しい場合、プロセス９００は、９１０に進む。
【０１０２】
９１０では、メディアガイドアプリケーションは、第２のユーザと関連付けられた第２のデバイスを識別してもよい（例えば、制御回路５０４を介して）。９１２では、メディアガイドアプリケーションは、第２のユーザに、双方向特徴を第１のデバイスから第２のデバイスに転送する選択可能オプションをプロンプトする（例えば、制御回路５０４を介して）。アクション９１０および９１２は、図７のアクション７１０と同様に実施されてもよい。
【０１０３】
図９の説明は、本開示の任意の他の実施形態と併用されてもよいことが検討される。加えて、図９のプロセスに関連して説明される説明は、代替順序で、または並行して実施され、本開示の目的を促してもよい。さらに、図９のプロセスは、適切に構成されるソフトウェアおよびハードウェアの組み合わせ上に実装されてもよく、図１−２および５−６に関連して議論されるデバイスまたは機器のいずれかが、プロセスの１つまたはそれを上回る部分を実装するために使用され得ることに留意されたい。さらに、プロセス９００のステップは、プロセス７００および８００の任意のステップと併せて使用されてもよい。プロセス９００のステップは、省略される、またはプロセス７００もしくは８００の任意のステップと置換されてもよい。
【０１０４】
いくつかの実施形態では、（例えば、第１のユーザがメディアアセットに関心がないインスタンスでは）タイマをアクティブ化することを止めることが有用であり得る。具体的には、メディアアセットと関連付けられたメタデータが第１のプロファイルのデータに合致しないことの判定に応答して、メディアガイドアプリケーションは、タイマをアクティブ化することを止め、第２のユーザに、双方向特徴を第１のデバイスから第２のデバイスに転送する選択可能オプションをプロンプトすることを止めてもよい。
【０１０５】
いくつかの実施形態では、例えば、第１のユーザが双方向特徴に関心があるため、閾値をデフォルトから増加させることが有用であり得る。メディアガイドアプリケーションは、第１のユーザと関連付けられた第１のプロファイル内のデータに基づいて、第１のユーザが双方向特徴に関心があることを判定してもよい。メディアガイドアプリケーションは、双方向特徴と関連付けられたメタデータを読み出してもよい。メディアガイドアプリケーションは、記憶装置５０８、メディアコンテンツソース６１６、またはメディアガイドデータソース６１８からメタデータを読み出してもよい。いくつかの実施形態では、メディアガイドアプリケーションは、最初に、メタデータを記憶装置５０８から、その後、メディアコンテンツソース６１６およびメディアガイドデータソース６１８から読み出すことを試みてもよい。
【０１０６】
メディアガイドアプリケーションは、判定に基づいて、閾値を増加させてもよい。例えば、閾値が３０秒である場合、メディアガイドアプリケーションは、それを２倍にして１分にしてもよい。増加率（例えば、２倍）は、サービスプロバイダによって判定されてもよく、ユーザによって修正されてもよい。
【０１０７】
いくつかの実施形態では、閾値は、広告、おそらく、ユーザが関心がないコンテンツを見ているとき、具体的ユーザが苛立つ速さを監視することによって生成されてもよい。具体的には、メディアガイドアプリケーションは、第１のユーザによって現在消費されているメディアが広告によって中断されていることを判定し得る。メディアガイドアプリケーションは、画像処理、ブランクフレーム検出、および他の方法等の種々の方法によって、本判定を行ってもよい。メディアガイドアプリケーションは、広告の開始と関連付けられた時間を記憶してもよい。メディアガイドアプリケーションは、例えば、前述のように、ユーザの眼がメディアアセットから逸れていることを追跡することによって、第１のユーザが広告を無視し始めたことを検出してもよい。メディアガイドアプリケーションが、ユーザが広告から眼を逸らしていることを判定すると、メディアガイドアプリケーションは、ユーザが眼を逸らした時間を記憶してもよい。
【０１０８】
メディアガイドアプリケーションは、メディアが広告によって中断された第１の時間と第１のユーザが広告を無視し始めた第２の時間との間の期間に基づいて、閾値を生成してもよい。例えば、メディアガイドアプリケーションは、広告が開始した時間をユーザがその眼を広告から逸らした時間から減算してもよい。いくつかの実施形態では、メディアガイドアプリケーションは、広告が開始した時間を記憶する代わりに、またはそれに加え、タイマを開始し、次いで、ユーザがその眼をメディアアセットから逸らしたとき、タイマを停止してもよい。メディアガイドアプリケーションは、タイマに基づいて、閾値を生成してもよい。
【０１０９】
いくつかの実施形態では、第１のユーザがメディアアセットを無視している場合、ユーザに、双方向特徴を第１のデバイスに逆転送するようにプロンプトすることが有用であり得る。メディアガイドアプリケーションは、選択可能オプションのユーザ選択を受信してもよい。メディアガイドアプリケーションは、例えば、遠隔制御または別の好適なデバイスから、ユーザ入力インターフェース５１０を通して、ユーザ選択を受信してもよい。
【０１１０】
メディアガイドアプリケーションは、双方向特徴を第１のデバイスから第２のデバイスに転送してもよい。例えば、メディアガイドアプリケーションは、図１のオーバーレイ１０６および１１０をユーザ機器１０８と関連付けられた画面から除去し、消費されているメディアアセットを継続してもよい。メディアガイドアプリケーションは、コンテンツを第２のデバイスにストリーミングしてもよい（例えば、無線ネットワークを通して）。いくつかの実施形態では、メディアガイドアプリケーションは、双方向特徴と関連付けられたコンテンツを第１のデバイスからストリーミングしてもよい。いくつかの実施形態では、メディアガイドアプリケーションは、双方向特徴をメディアコンテンツソース６１６またはメディアガイドデータソース６１８と関連付けられたホームサーバまたは遠隔サーバからストリーミングしてもよい。
【０１１１】
メディアガイドアプリケーションは、第１のユーザがメディアアセットを無視していることを検出し得る。例えば、メディアガイドアプリケーションは、カメラおよび縁検出アルゴリズムを使用することによって、ユーザが、メディアアセットを再生しているデバイスの方向を見ていないことを判定し得る。いくつかの実施形態では、メディアガイドアプリケーションは、メディアガイドアプリケーションが常駐する、ユーザデバイス（例えば、デバイス６０２、６０４、または６０６）上で検出を行ってもよい。いくつかの実施形態では、メディアガイドアプリケーションは、画像を遠隔サーバ（例えば、メディアコンテンツソース６１６および／またはメディアガイドデータソース６１８におけるサーバ）に伝送し、サーバが画像分析を実施し、ユーザがメディアアセットを無視していることを検出することを要求してもよい。
【０１１２】
第１のユーザがメディアアセットを無視していることの検出に応答して、メディアガイドアプリケーションは、表示のために、双方向特徴を第２のデバイスから第１のデバイスに逆転送する選択可能オプションを生成してもよい。選択可能オプションは、表示のために、元々の双方向特徴を第１のデバイスから第２のデバイスに転送する選択可能オプションと同一様式で生成されてもよい。選択可能オプションは、表示のために、第１のデバイス（例えば、図１のデバイス）または第２のデバイス（例えば、図２のデバイス）上で生成されてもよい。
【０１１３】
いくつかの実施形態では、メディアガイドアプリケーションは、以下のアクションを行い、第１のユーザがメディアアセットを無視していることを検出してもよい。メディアガイドアプリケーションは、ユーザの眼がメディアアセットの方向に向いていないことを検出してもよい。メディアガイドアプリケーションは、カメラを使用することによって、検出を実施してもよい。メディアガイドアプリケーションは、縁検出を使用して、画像内の異なるユーザを検出し、ユーザの顔特徴およびユーザの眼（例えば、視認方向）に基づいて、ユーザの眼がメディアアセットの方向に向いていないことを判定してもよい。
【０１１４】
メディアガイドアプリケーションは、ユーザの眼がメディアアセットの方向に向いていない期間を追跡するタイマをアクティブ化してもよい。メディアガイドアプリケーションはまた、カメラを使用して、追跡を実施する。メディアガイドアプリケーションは、タイマに基づいて、ユーザの眼がメディアアセットの方向に向いていない期間が閾値を上回ることを判定してもよい。例えば、ユーザが短期間（例えば、５秒）にわたってメディアアセットから眼を逸らしている場合、第１のユーザがメディアアセットを無視していることを検出することは有用ではあり得ない。しかしながら、ユーザが実質的時間量（例えば、３分）にわたって眼を逸らしている場合、ユーザがメディアアセットを無視していることを検出することが有用であり得る。判定に基づいて、メディアガイドアプリケーションは、ユーザがメディアアセットを無視していることを検出してもよい。
【０１１５】
いくつかの実施形態では、例えば、メディアガイドアプリケーションが、アクセス可能デバイスが第２のユーザのために見出されることができないことを判定すると、ユーザに、双方向特徴を第１のユーザと関連付けられたデバイスに転送するようにプロンプトすることが有用であり得る。メディアガイドアプリケーションは、複数のアクセス可能デバイスを検出してもよい。メディアガイドアプリケーションは、プロセス７００のアクション７１０に関連して説明されるものと同一様式で検出を実施してもよい。
【０１１６】
メディアガイドアプリケーションは、複数のアクセス可能デバイスのうちの第１のアクセス可能デバイスが第１のユーザと関連付けられることを判定してもよい。メディアガイドアプリケーションは、プロセス７００のアクション７１０に関連して説明されるものと同一様式で検出を実施してもよい。メディアガイドアプリケーションは、第１のアクセス可能デバイス上での表示のために、双方向特徴を第１のアクセス可能デバイスに転送するプロンプトを生成してもよい。これは、図２のプロンプト２０４に類似するプロンプトであってもよい。
【０１１７】
本開示の前述の実施形態は、限定ではなく、例証目的のために提示され、本開示は、続く請求項によってのみ限定される。さらに、いずれか１つの実施形態で説明される特徴および制限は、本明細書の任意の他の実施形態に適用され得、一実施形態に関するフローチャートまたは実施例は、好適な様式で任意の他の実施形態と組み合わせられ、異なる順序で行われ、または並行して行われ得ることに留意されたい。加えて、本明細書で説明されるシステムおよび方法は、リアルタイムで行われてもよい。また、上記で説明されるシステムおよび／または方法は、他のシステムならびに／もしくは方法に適用され、またはそれらに従って使用され得ることにも留意されたい。
【図１】
2019520009.tif 000003
【図２】
2019520009.tif 000004
【図３】
2019520009.tif 000005
【図４】
2019520009.tif 000006
【図５】
2019520009.tif 000007
【図６】
2019520009.tif 000008
【図７】
2019520009.tif 000009
【図８】
2019520009.tif 000010
【図９】
2019520009.tif 000011
【国際調査報告】
2019520009.tif 000012
2019520009.tif 000013
2019520009.tif 000014